(57)【要約】【課題】高輝度のプロジェクタに好適に用いることのできる２灯式の照明装置であって、複数の光源装置のうちいずれかの光源装置において発光管の発光が弱まったり切れたりしても、被照明領域における面内光強度分布が不均一になることを抑制することが可能となるとともに投写画像の品質が劣化することを抑制することが可能な照明装置を提供する。【解決手段】偏光ビームコンバイナ９０と、第１の偏光光源装置４０と、第２の偏光光源装置８０と、インテグレータ光学系１２０とを備える照明装置１００。第１の偏光光源装置４０及び第２の偏光光源装置８０は、光源装置１０，５０と、偏光分離光学素子２０，６０と、λ／２板３０，７０とを有し、偏光ビームコンバイナ９０は、第１の偏光光源装置４０から射出されるＰ偏光成分に係る照明光束と第２の偏光光源装置８０から射出されるＳ偏光成分に係る照明光束とを合成して射出するように構成されている。【選択図】図２
2007256422.tif 000002
【特許請求の範囲】
【請求項１】
第１の光入射面と第２の光入射面とを有する偏光ビームコンバイナと、
前記第１の光入射面に配置され、第１の偏光成分に係る照明光束を射出する第１の偏光
光源装置と、
前記第２の光入射面に配置され、前記第１の偏光成分に係る照明光束とは異なる偏光軸
を有する第２の偏光成分に係る照明光束を射出する第２の偏光光源装置と、
前記偏光ビームコンバイナからの照明光束をより均一な強度分布を有する光に変換する
機能を有するインテグレータ光学系とを備え、
前記第１の偏光光源装置は、
略平行な照明光束を射出する第１の光源装置と、前記第１の光源装置からの照明光束の
うち第１の偏光成分に係る照明光束を透過し第２の偏光成分に係る照明光束を反射する第
１の偏光分離面及び前記第１の偏光分離面で反射された第２の偏光成分に係る照明光束を
前記第１の偏光分離面を透過した第１の偏光成分に係る照明光束に平行な方向に向けて反
射する第１の反射面を有する第１の偏光分離光学素子と、前記第１の偏光分離光学素子か
ら射出される第２の偏光成分に係る照明光束が通過する位置に配置され、第２の偏光成分
に係る照明光束を第１の偏光成分に係る照明光束に変換する第１の位相差板とを有し、前
記第１の光源装置からの照明光束を第１の偏光成分に係る照明光束として前記偏光ビーム
コンバイナの前記第１の光入射面に向けて射出し、
前記第２の偏光光源装置は、
略平行な照明光束を射出する第２の光源装置と、前記第２の光源装置からの照明光束の
うち第１の偏光成分に係る照明光束を透過し第２の偏光成分に係る照明光束を反射する第
２の偏光分離面及び前記第２の偏光分離面で反射された第２の偏光成分に係る照明光束を
前記第２の偏光分離面を透過した第１の偏光成分に係る照明光束に平行な方向に向けて反
射する第２の反射面を有する第２の偏光分離光学素子と、前記第２の偏光分離光学素子か
ら射出される第１の偏光成分に係る照明光束が通過する位置に配置され、第１の偏光成分
に係る照明光束を第２の偏光成分に係る照明光束に変換する第２の位相差板とを有し、前
記第２の光源装置からの照明光束を第２の偏光成分に係る照明光束として前記偏光ビーム
コンバイナの前記第２の光入射面に向けて射出し、
前記偏光ビームコンバイナは、
前記第１の偏光分離面を透過した第１の偏光成分に係る照明光束と前記第２の偏光分離
面で反射された第２の偏光成分に係る照明光束とを合成するとともに、前記第１の偏光分
離面で反射されたのち前記第１の位相差板によって偏光変換された第１の偏光成分に係る
照明光束と前記第２の偏光分離面を透過したのち前記第２の位相差板で偏光変換された第
２の偏光成分に係る照明光束とを合成し、前記インテグレータ光学系に向けて射出するこ
とを特徴とする照明装置。
【請求項２】
請求項１に記載の照明装置において、
前記第１の偏光分離光学素子及び前記第２の偏光分離光学素子として、同じロットで製
造された偏光分離光学素子を備えることを特徴とする照明装置。
【請求項３】
請求項１又は２に記載の照明装置において、
前記第１の位相差板及び前記第２の位相差板は１枚の位相差板からなり、
当該位相差板は、前記偏光ビームコンバイナにおける前記第１の光入射面及び前記第２
の光入射面に跨って接着されていることを特徴とする照明装置。
【請求項４】
請求項１〜３のいずれかに記載の照明装置において、
前記第１の光源装置は、第１の楕円面リフレクタと、前記第１の楕円面リフレクタの第
１焦点近傍に発光中心を有する第１の発光管と、前記第１の楕円面リフレクタからの集束
光を前記第１の偏光分離光学素子の光入射面における前記第１の偏光分離面に対応する位
置に向けて射出する第１の凹レンズとを有し、
前記第２の光源装置は、第２の楕円面リフレクタと、前記第２の楕円面リフレクタの第
１焦点近傍に発光中心を有する第２の発光管と、前記第２の楕円面リフレクタからの集束
光を前記第２の偏光分離光学素子の光入射面における前記第２の偏光分離面に対応する位
置に向けて射出する第２の凹レンズとを有することを特徴とする照明装置。
【請求項５】
請求項４に記載の照明装置において、
前記第１の発光管には、前記第１の発光管から被照明領域側に射出される光を前記第１
の発光管に向けて反射する第１の反射手段が設けられ、
前記第２の発光管には、前記第２の発光管から被照明領域側に射出される光を前記第２
の発光管に向けて反射する第２の反射手段が設けられていることを特徴とする照明装置。
【請求項６】
請求項１〜５のいずれかに記載の照明装置において、
前記偏光ビームコンバイナの前記第１の光入射面と、前記第１の偏光光源装置における
光射出面とは接着され、
前記偏光ビームコンバイナの前記第２の光入射面と、前記第２の偏光光源装置における
光射出面とは接着されていることを特徴とする照明装置。
【請求項７】
請求項１〜６のいずれかに記載の照明装置において、
前記第１の偏光分離光学素子の光入射面と、前記第１の光源装置における前記第１の凹
レンズの光射出面とは接着され、
前記第２の偏光分離光学素子の光入射面と、前記第２の光源装置における前記第２の凹
レンズの光射出面とは接着されていることを特徴とする照明装置。
【請求項８】
請求項１〜５のいずれかに記載の照明装置において、
前記偏光ビームコンバイナと前記第１の偏光分離光学素子、前記第１の偏光分離光学素
子と前記第１の凹レンズ、前記偏光ビームコンバイナと前記第２の偏光分離光学素子、及
び前記第２の偏光分離光学素子と前記第２の凹レンズは、それぞれ離隔して配置されてい
ることを特徴とする照明装置。
【請求項９】
請求項１〜８のいずれかに記載の照明装置において、
前記インテグレータ光学系は、
前記偏光ビームコンバイナからの照明光束を集束光に変換して射出する集光レンズと、
前記集光レンズからの照明光束をより均一な強度分布を有する光に変換するインテグレ
ータロッドとを有することを特徴とする照明装置。
【請求項１０】
請求項９に記載の照明装置において、
前記インテグレータ光学系は、
前記インテグレータロッドの光入射面に配置され、中央部に光入射のための開口部を有
する反射層と、
前記インテグレータロッドの光射出面に配置されるλ／４板と、
前記λ／４板の光射出側に配置される反射型偏光板とをさらに有することを特徴とする
照明装置。
【請求項１１】
請求項９に記載の照明装置において、
前記インテグレータ光学系は、
前記インテグレータロッドの光入射側に配置され、前記集光レンズからの照明光束を略
１種類の直線偏光成分を有する光束に変換する偏光変換素子をさらに有することを特徴と
する照明装置。
【請求項１２】
請求項１〜８のいずれかに記載の照明装置において、
前記インテグレータ光学系は、
前記偏光ビームコンバイナからの照明光束を複数の部分光束に分割する複数の第１小レ
ンズをそれぞれ有する２つの第１レンズアレイと、
前記２つの第１レンズアレイの各第１小レンズに対応する複数の第２小レンズをそれぞ
れ有する２つの第２レンズアレイと、
前記２つの第２レンズアレイからのそれぞれの部分光束を略１種類の直線偏光成分を有
する光束に変換する２つの偏光変換素子と、
前記２つの偏光変換素子からのそれぞれの光を被照明領域で重畳させる重畳レンズとを
有し、
前記２つの第１レンズアレイ、前記２つの第２レンズアレイ及び前記２つの偏光変換素
子のそれぞれが、前記重畳レンズの光軸を含む仮想面に対して対称に配置されていること
を特徴とする照明装置。
【請求項１３】
請求項１〜１２のいずれかに記載の照明装置と、
前記照明装置からの光を画像情報に応じて変調する電気光学変調装置と、
前記電気光学変調装置により変調された光を投写する投写光学系とを備えることを特徴
とするプロジェクタ。
【発明の詳細な説明】
【技術分野】
【０００１】
本発明は、照明装置及びプロジェクタに関する。
【背景技術】
【０００２】
従来より高輝度のプロジェクタが求められており、その要求に応えるものとして２つの
光源装置からの光を三角プリズムで合成する構成を有するプロジェクタ（いわゆる２灯式
のプロジェクタ）が提案されている（例えば、特許文献１参照。）。
【０００３】
このような従来の２灯式のプロジェクタによれば、照明装置として、２つの光源装置を
有する照明装置を用いているため、従来より高輝度のプロジェクタを構成することができ
る。
【０００４】
【特許文献１】特開２００２−７２０８３号公報（図４）
【発明の開示】
【発明が解決しようとする課題】
【０００５】
しかしながら、このような従来の２灯式のプロジェクタにおいては、２つの光源装置の
うちいずれかの光源装置において発光管の発光が弱まったり切れたりすると、被照明領域
における面内光強度分布が不均一になり、その結果、投写画像の品質が劣化するという問
題があった。この問題は、２灯式のプロジェクタのみに見られる問題ではなく、３組以上
の光源装置を有するプロジェクタにおいても共通して見られる問題である。
【０００６】
そこで、本発明は、このような問題を解決するためになされたもので、高輝度のプロジ
ェクタに好適に用いることのできる照明装置であって、複数の光源装置のうちいずれの光
源装置において発光管の発光が弱まったり切れたりしても、被照明領域における面内光強
度分布が不均一になることを抑制することが可能となるとともに投写画像の品質が劣化す
ることを抑制することが可能な照明装置を提供することを目的とする。また、本発明は、
このような照明装置を備えたプロジェクタを提供することを目的とする。
【課題を解決するための手段】
【０００７】
本発明者は、上記目的を達成するため、従来の２灯式のプロジェクタにおいて、２つの
光源装置のうち一方の光源装置において発光管の発光が弱まったり切れたりすると、被照
明領域における面内光強度分布が不均一になる原因を徹底的に調査した。その結果、その
原因は、２つの光源装置からの照明光束が所定の角度をもって三角プリズムで合成される
ために、２つの光源装置からの照明光束が、被照明領域では同じ照明範囲で重畳されてい
るが同じ角度をもって重畳されていないことに起因することが判明した。本発明者は、こ
の知見に基づき、２つの光源装置からの照明光束が同じ角度をもって重畳されるようにす
ると、上記問題を解決することができることに想到し、本発明を完成させるに至った。
【０００８】
すなわち、本発明の照明装置は、第１の光入射面と第２の光入射面とを有する偏光ビー
ムコンバイナと、前記第１の光入射面に配置され、第１の偏光成分に係る照明光束を射出
する第１の偏光光源装置と、前記第２の光入射面に配置され、前記第１の偏光成分に係る
照明光束とは異なる偏光軸を有する第２の偏光成分に係る照明光束を射出する第２の偏光
光源装置と、前記偏光ビームコンバイナからの照明光束をより均一な強度分布を有する光
に変換する機能を有するインテグレータ光学系とを備え、前記第１の偏光光源装置は、略
平行な照明光束を射出する第１の光源装置と、前記第１の光源装置からの照明光束のうち
第１の偏光成分に係る照明光束を透過し第２の偏光成分に係る照明光束を反射する第１の
偏光分離面及び前記第１の偏光分離面で反射された第２の偏光成分に係る照明光束を前記
第１の偏光分離面を透過した第１の偏光成分に係る照明光束に平行な方向に向けて反射す
る第１の反射面を有する第１の偏光分離光学素子と、前記第１の偏光分離光学素子から射
出される第２の偏光成分に係る照明光束が通過する位置に配置され、第２の偏光成分に係
る照明光束を第１の偏光成分に係る照明光束に変換する第１の位相差板とを有し、前記第
１の光源装置からの照明光束を第１の偏光成分に係る照明光束として前記偏光ビームコン
バイナの前記第１の光入射面に向けて射出し、前記第２の偏光光源装置は、略平行な照明
光束を射出する第２の光源装置と、前記第２の光源装置からの照明光束のうち第１の偏光
成分に係る照明光束を透過し第２の偏光成分に係る照明光束を反射する第２の偏光分離面
及び前記第２の偏光分離面で反射された第２の偏光成分に係る照明光束を前記第２の偏光
分離面を透過した第１の偏光成分に係る照明光束に平行な方向に向けて反射する第２の反
射面を有する第２の偏光分離光学素子と、前記第２の偏光分離光学素子から射出される第
１の偏光成分に係る照明光束が通過する位置に配置され、第１の偏光成分に係る照明光束
を第２の偏光成分に係る照明光束に変換する第２の位相差板とを有し、前記第２の光源装
置からの照明光束を第２の偏光成分に係る照明光束として前記偏光ビームコンバイナの前
記第２の光入射面に向けて射出し、前記偏光ビームコンバイナは、前記第１の偏光分離面
を透過した第１の偏光成分に係る照明光束と前記第２の偏光分離面で反射された第２の偏
光成分に係る照明光束とを合成するとともに、前記第１の偏光分離面で反射されたのち前
記第１の位相差板によって偏光変換された第１の偏光成分に係る照明光束と前記第２の偏
光分離面を透過したのち前記第２の位相差板で偏光変換された第２の偏光成分に係る照明
光束とを合成し、前記インテグレータ光学系に向けて射出することを特徴とする。
【０００９】
このため、本発明の照明装置によれば、第１の偏光光源装置及び第２の偏光光源装置か
ら互いに異なる偏光軸を有する直線偏光を射出させ、これらの直線偏光を偏光ビームコン
バイナにおける第１の光入射面及び第２の光入射面にそれぞれ入射させることにより、偏
光ビームコンバイナからは、２つの光源装置（第１の光源装置及び第２の光源装置）から
の照明光束が同じ角度をもって重畳された形で射出されるようになる。このため、２つの
光源装置のうちいずれの光源装置において発光管の発光が弱まったり切れたりしても、被
照明領域における面内光強度分布が不均一になることを抑制することが可能となるととも
に投写画像の品質が劣化することを抑制することが可能な照明装置を提供することが可能
になる。
【００１０】
ところで、偏光分離光学素子は、その偏光分離面において入射する照明光束を第１の偏
光成分に係る照明光束及び第２の偏光成分に係る照明光束にそれぞれ１対１の割合で偏光
分離することが望ましいが、製造上のばらつきにより、その偏光分離に偏りが存在するも
のもある。偏光分離に偏りが存在する偏光分離光学素子においては、偏光分離面に入射す
る照明光束の光強度を１００としたとき、例えば、偏光分離面を透過した第１の偏光成分
に係る照明光束の光強度が５２となり、偏光分離面で反射された第２の偏光成分に係る照
明光束の光強度は４８となる場合もある。
【００１１】
本発明の照明装置によれば、第１の偏光分離光学素子における第１の偏光分離面を透過
した照明光束と第２の偏光分離光学素子における第２の偏光分離面で反射された照明光束
とが合成され、第１の偏光分離光学素子における第１の偏光分離面で反射された照明光束
と第２の偏光分離光学素子における第２の偏光分離面を透過した照明光束とが合成される
ように、第１の偏光分離光学素子及び第２の偏光分離光学素子をそれぞれ配置しているた
め、偏光分離に偏りが存在する偏光分離光学素子を用いた場合であっても、偏光分離面を
透過した照明光束の光強度と、偏光分離面で反射された照明光束の光強度との差を相殺す
ることができる。このため、偏光ビームコンバイナから射出される照明光束に光量差が生
じることを抑制することができ、照明むらの発生を抑制することが可能となる。
【００１２】
なお、本発明の偏光光源装置を２組以上用いることによって、２つの光源装置を有する
２灯式のプロジェクタのみならず、複数の光源装置を有する多灯式のプロジェクタを構成
できるようになる。
【００１３】
本発明の照明装置においては、前記第１の偏光分離光学素子及び前記第２の偏光分離光
学素子として、同じロットで製造された偏光分離光学素子を備えることが好ましい。
【００１４】
このように構成することにより、（ア）第１の偏光分離面を透過するＰ偏光成分の光強
度と第１の偏光分離面で反射されるＳ偏光成分の光強度との比が、第２の偏光分離面を透
過するＰ偏光成分の光強度と第２の偏光分離面で反射されるＳ偏光成分の光強度との比と
同じであり、（イ）第１の偏光分離面を透過するＰ偏光成分の光強度の大きさが第２の偏
光分離面を透過するＰ偏光成分の光強度の大きさと同じであり、（ウ）第１の偏光分離面
で反射されるＳ偏光成分の光強度の大きさが第２の偏光分離面で反射されるＳ偏光成分の
光強度の大きさと同じであることから、第１の偏光光源装置からの照明光束における偏光
分離の偏りと第２の偏光光源装置からの照明光束における偏光分離の偏りとが偏光ビーム
コンバイナによって相殺されることとなる。このため、偏光ビームコンバイナから射出さ
れる照明光束に光量差が生じることをさらに抑制することができ、照明むらの発生をさら
に抑制することが可能となる。
【００１５】
本発明の照明装置においては、前記第１の位相差板及び前記第２の位相差板は１枚の位
相差板からなり、当該位相差板は、前記偏光ビームコンバイナにおける前記第１の光入射
面及び前記第２の光入射面に跨って接着されていることが好ましい。
【００１６】
このように構成することにより、製造コストの低減を図ることができる。
【００１７】
本発明の照明装置においては、前記第１の光源装置は、第１の楕円面リフレクタと、前
記第１の楕円面リフレクタの第１焦点近傍に発光中心を有する第１の発光管と、前記第１
の楕円面リフレクタからの集束光を前記第１の偏光分離光学素子の光入射面における前記
第１の偏光分離面に対応する位置に向けて射出する第１の凹レンズとを有し、前記第２の
光源装置は、第２の楕円面リフレクタと、前記第２の楕円面リフレクタの第１焦点近傍に
発光中心を有する第２の発光管と、前記第２の楕円面リフレクタからの集束光を前記第２
の偏光分離光学素子の光入射面における前記第２の偏光分離面に対応する位置に向けて射
出する第２の凹レンズとを有することが好ましい。
【００１８】
このように構成することにより、第１の光源装置及び第２の光源装置からは楕円面リフ
レクタの大きさよりも小さな略平行光束が射出されるようになるため、プロジェクタの小
型化を図ることができる。
【００１９】
本発明の照明装置においては、前記第１の発光管には、前記第１の発光管から被照明領
域側に射出される光を前記第１の発光管に向けて反射する第１の反射手段が設けられ、前
記第２の発光管には、前記第２の発光管から被照明領域側に射出される光を前記第２の発
光管に向けて反射する第２の反射手段が設けられていることが好ましい。
【００２０】
このように構成することにより、発光管から被照明領域側に放射される光が発光管に向
けて反射されるため、発光管の被照明領域側端部まで覆うような大きさに各楕円面リフレ
クタの大きさを設定することを必要とせず、各楕円面リフレクタの小型化を図ることがで
き、結果としてプロジェクタの小型化を図ることができる。
また、各楕円面リフレクタの小型化を図ることができることにより、楕円面リフレクタ
から楕円面リフレクタの第２焦点に向けて集束するビームの集束角やビームスポットを小
さくすることができるため、各凹レンズの大きさ、各偏光分離光学素子の大きさ、偏光ビ
ームコンバイナの大きさをさらに小さくすることができ、照明装置のさらなる小型化を図
ることができる。
【００２１】
本発明の照明装置においては、前記偏光ビームコンバイナの前記第１の光入射面と、前
記第１の偏光光源装置における光射出面とは接着され、前記偏光ビームコンバイナの前記
第２の光入射面と、前記第２の偏光光源装置における光射出面とは接着されていることが
好ましい。
【００２２】
本発明の照明装置においては、前記第１の偏光分離光学素子の光入射面と、前記第１の
光源装置における前記第１の凹レンズの光射出面とは接着され、前記第２の偏光分離光学
素子の光入射面と、前記第２の光源装置における前記第２の凹レンズの光射出面とは接着
されていることが好ましい。
【００２３】
このように構成することにより、上記部品間における不要な反射が低減するため、光利
用効率が向上するとともに迷光レベルが低減する。
【００２４】
本発明の照明装置においては、前記偏光ビームコンバイナと前記第１の偏光分離光学素
子、前記第１の偏光分離光学素子と前記第１の凹レンズ、前記偏光ビームコンバイナと前
記第２の偏光分離光学素子、及び前記第２の偏光分離光学素子と前記第２の凹レンズは、
それぞれ離隔して配置されていることも好ましい。
【００２５】
このように構成した場合には、各光学要素間の位置調整を容易に行うことができるよう
になる。また、各光学要素に及ぼす熱的影響を軽減することができる。
【００２６】
この場合、偏光ビームコンバイナの第１の光入射面及び第２の光入射面、第１の偏光分
離光学素子の光入射面及び光射出面、第２の偏光分離光学素子の光入射面及び光射出面、
第１の凹レンズの光入射面及び光射出面並びに第２の凹レンズの光入射面及び光射出面に
は、減反射膜がコーティングされていることが好ましい。
【００２７】
これにより、上記の各光学要素に入射する照明光束及び上記の各光学要素から射出され
る照明光束における不要な反射の発生を抑制することができる。
【００２８】
本発明の照明装置においては、前記インテグレータ光学系は、前記偏光ビームコンバイ
ナからの照明光束を集束光に変換して射出する集光レンズと、前記集光レンズからの照明
光束をより均一な強度分布を有する光に変換するインテグレータロッドとを有することが
好ましい。
【００２９】
このように構成することにより、インテグレータロッドの働きによって、照明光束の面
内光強度分布をより均一なものにすることが可能となる。
【００３０】
本発明の照明装置においては、前記インテグレータロッドは、中空のインテグレータロ
ッドであってもよいし、中実のインテグレータロッドであってもよい。
【００３１】
中空のインテグレータロッドとしては、例えば４枚の反射ミラーにおける反射面を内側
に向けて貼り合わせた筒状のライトトンネルなどを好適に用いることができる。また、中
実のインテグレータロッドとしては、例えば内面全反射タイプの中実のロッド部材（ガラ
スロッド）などを好適に用いることができる。
【００３２】
本発明の照明装置においては、前記インテグレータ光学系は、前記インテグレータロッ
ドの光入射面に配置され、中央部に光入射のための開口部を有する反射層と、前記インテ
グレータロッドの光射出面に配置されるλ／４板と、前記λ／４板の光射出側に配置され
る反射型偏光板とをさらに有することが好ましい。
【００３３】
このように構成することにより、インテグレータロッドに入射した照明光束のうち一方
の偏光成分に係る照明光束が反射側偏光板を通過する場合には、他方の偏光成分に係る照
明光束は反射型偏光板で反射される。この反射光はインテグレータロッドの光入射面に配
置された反射層で反射され、再度反射型偏光板に到達する。このとき、この光はλ／４板
をすでに２回通過しているため、偏光方向が９０度回転し、一方の偏光成分に係る照明光
束として反射型偏光板を通過する。すなわち、インテグレータロッドから射出される光の
偏光方向を略１種類の偏光方向に揃えることが可能となる。したがって、液晶装置のよう
に偏光方向を制御する電気光学変調装置を用いたプロジェクタにおいて特に好適なものと
なる。
【００３４】
本発明の照明装置においては、前記インテグレータ光学系は、前記インテグレータロッ
ドの光入射側に配置され、前記集光レンズからの照明光束を略１種類の直線偏光成分を有
する光束に変換する偏光変換素子をさらに有することが好ましい。
【００３５】
このように構成することによっても、インテグレータロッドに入射する光の偏光方向を
略１種類の偏光方向に揃えることが可能となるため、液晶装置のように偏光方向を制御す
る電気光学変調装置を用いたプロジェクタにおいて特に好適なものとなる。
【００３６】
本発明の照明装置においては、前記インテグレータロッドと前記偏光変換素子とは接着
されていることが好ましい。
【００３７】
このように構成することにより、偏光変換素子とインテグレータロッドとの間における
望ましくない多重反射が抑制され、光利用効率が低下したり迷光レベルが上昇したりする
ことがなくなる。また、偏光変換素子とインテグレータロッドとを容易に一体化すること
ができる。また、偏光変換素子とインテグレータロッドとの間において、装置組み立て後
における位置ずれの発生を未然に防止することができる。
【００３８】
この場合、偏光変換素子及びインテグレータロッドとほぼ同じ屈折率を有する接着剤を
用いることが好ましい。
【００３９】
本発明の照明装置においては、前記インテグレータ光学系は、前記偏光ビームコンバイ
ナからの照明光束を複数の部分光束に分割する複数の第１小レンズをそれぞれ有する２つ
の第１レンズアレイと、前記２つの第１レンズアレイの各第１小レンズに対応する複数の
第２小レンズをそれぞれ有する２つの第２レンズアレイと、前記２つの第２レンズアレイ
からのそれぞれの部分光束を略１種類の直線偏光成分を有する光束に変換する２つの偏光
変換素子と、前記２つの偏光変換素子からのそれぞれの光を被照明領域で重畳させる重畳
レンズとを有し、前記２つの第１レンズアレイ、前記２つの第２レンズアレイ及び前記２
つの偏光変換素子のそれぞれが、前記重畳レンズの光軸を含む仮想面に対して対称に配置
されていることが好ましい。
【００４０】
このように構成することにより、２つの第１レンズアレイ、２つの第２レンズアレイ及
び重畳レンズの働きによって、照明光束の面内光強度分布をより均一なものにすることが
可能となる。また、２つの偏光変換素子の働きによって、照明光束の偏光方向を略１種類
の偏光方向に揃えることが可能となるため、液晶装置のように偏光方向を制御する電気光
学変調装置を用いたプロジェクタにおいて特に好適なものとなる。
【００４１】
また、本発明の照明装置によれば、偏光ビームコンバイナの光路後段に第１レンズアレ
イ、第２レンズアレイ及び偏光変換素子がそれぞれ２つずつ配置された構成を有している
ため、偏光ビームコンバイナの光路後段に第１レンズアレイ、第２レンズアレイ及び偏光
変換素子がそれぞれ１つずつ配置された構成を有するものと比べて、各第１レンズアレイ
、第２レンズアレイ及び偏光変換素子の大きさを小さくすることができ、第１レンズアレ
イ、第２レンズアレイ及び偏光変換素子の製造が容易となるという効果もある。
【００４２】
本発明のプロジェクタは、本発明の照明装置と、前記照明装置からの光を画像情報に応
じて変調する電気光学変調装置と、前記電気光学変調装置により変調された光を投写する
投写光学系とを備えることを特徴とする。
【００４３】
このため、本発明のプロジェクタによれば、上記したような優れた本発明の照明装置を
備えているため、高輝度のプロジェクタであって、複数の光源装置のうちいずれの光源装
置において発光管の発光が弱まったり切れたりしても、投写画像の品質が劣化することを
抑制することが可能なプロジェクタとなる。
【発明を実施するための最良の形態】
【００４４】
以下、本発明の照明装置及びプロジェクタについて、図に示す実施の形態に基づいて説
明する。
【００４５】
［実施形態１］
図１は、実施形態１に係る照明装置１００及びプロジェクタ１０００を説明するために
示す図である。図１（ａ）はプロジェクタ１０００の光学系を示す平面図であり、図１（
ｂ）はプロジェクタ１０００の光学系を示す側面図であり、図１（ｃ）は第１の凹レンズ
１８を第１の発光管１２側から見た図であり、図１（ｄ）は第２の凹レンズ５８を第２の
発光管５２側から見た図である。図２は、実施形態１に係る照明装置１００の要部を説明
するために示す図である。図３は、第１の光源装置１０及び第２の光源装置５０から射出
される照明光束が偏光分離及び合成される様子を模式的に示す図である。
【００４６】
図４は、第１レンズアレイ１３０，１３４の正面図である。なお、図４においては、照
明光束の輪郭Ｌも併せて示している。図５は、インテグレータ光学系１２０における光線
を示す図である。図６は、偏光変換素子１５０，１５５の光射出面における面内光強度分
布を示す図である。図７は、第１の光源装置１０の第１の発光管１２の発光が切れたとき
の照明状態を説明するために示す図である。図８は、第２の光源装置５０の第２の発光管
５２の発光が切れたときの照明状態を説明するために示す図である。
【００４７】
なお、以下の説明においては、互いに直交する３つの方向をそれぞれｚ軸方向（図１（
ａ）におけるシステム光軸ＯＣ方向）、ｘ軸方向（図１（ａ）における紙面に平行かつｚ
軸に直交する方向）及びｙ軸方向（図１（ａ）における紙面に垂直かつｚ軸に直交する方
向）とする。
【００４８】
実施形態１に係るプロジェクタ１０００は、図１に示すように、いわゆる２灯式の照明
装置１００と、照明装置１００からの照明光束を３つの色光に分離して被照明領域に導光
する色分離導光光学系２００と、色分離導光光学系２００で分離された３つの色光のそれ
ぞれを画像情報に応じて変調する電気光学変調装置としての３つの液晶装置４００Ｒ，４
００Ｇ，４００Ｂと、液晶装置４００Ｒ，４００Ｇ，４００Ｂによって変調された色光を
合成するクロスダイクロイックプリズム５００と、クロスダイクロイックプリズム５００
によって合成された光をスクリーンＳＣＲ等の投写面に投写する投写光学系６００とを備
えたプロジェクタである。
【００４９】
実施形態１に係る照明装置１００は、図１、図２及び図５に示すように、第１の偏光光
源装置４０と、第２の偏光光源装置８０と、第１の偏光光源装置４０及び第２の偏光光源
装置８０から射出される照明光束を合成して射出する偏光ビームコンバイナ９０と、偏光
ビームコンバイナ９０からの照明光束をより均一な強度分布を有する光に変換する機能を
有するインテグレータ光学系１２０とを備えた照明装置である。
【００５０】
まず、第１の偏光光源装置４０、第２の偏光光源装置８０及び偏光ビームコンバイナ９
０の構成を説明する。
【００５１】
第１の偏光光源装置４０は、図１〜図３に示すように、略平行な照明光束を射出する第
１の光源装置１０と、第１の光源装置１０からの照明光束をＰ偏光成分（第１の偏光成分
）に係る照明光束とＳ偏光成分（第２の偏光成分）に係る照明光束とに分離する第１の偏
光分離光学素子２０と、第１の偏光分離光学素子２０から射出されるＳ偏光成分に係る照
明光束が通過する位置に配置される第１の位相差板としての第１のλ／２板３０とを有し
ている。
【００５２】
第１の光源装置１０は、第１の楕円面リフレクタ１４と、第１の楕円面リフレクタ１４
の第１焦点近傍に発光中心を有する第１の発光管１２と、第１の楕円面リフレクタ１４か
らの集束光を第１の偏光分離光学素子２０の光入射面における第１の偏光分離面２２に対
応する位置に向けて射出する第１の凹レンズ１８とを有している。第１の発光管１２には
、第１の発光管１２から被照明領域側に射出される光を第１の発光管１２に向けて反射す
る第１の反射手段としての第１の補助ミラー１６が設けられている。第１の光源装置１０
は、光軸１０ａｘを中心軸とする光束を射出する。
【００５３】
第１の発光管１２は、管球部と、管球部の両側に延びる一対の封止部とを有している。
第１の楕円面リフレクタ１４は、第１の発光管１２の一方の封止部に挿通・固着される
筒状の首状部と、第１の発光管１２から放射された光を第２焦点位置に向けて反射する反
射凹面とを有している。
【００５４】
第１の補助ミラー１６は、第１の発光管１２の管球部を挟んで第１の楕円面リフレクタ
１４と対向して設けられ、第１の発光管１２から放射された光のうち第１の楕円面リフレ
クタ１４に向かわない光を第１の発光管１２に戻し第１の楕円面リフレクタ１４に入射さ
せる。
【００５５】
第１の凹レンズ１８は、第１の楕円面リフレクタ１４の被照明領域側に配置されている
。そして、第１の楕円面リフレクタ１４からの光を第１の偏光分離光学素子２０に向けて
射出するように構成されている。
【００５６】
第１の偏光分離光学素子２０は、図２及び図３に示すように、第１の光源装置１０から
の照明光束のうちＰ偏光成分に係る照明光束を透過しＳ偏光成分に係る照明光束を第１の
光源装置１０の光軸１０ａｘから遠ざかる方向に向けて反射する第１の偏光分離面２２と
、第１の偏光分離面２２で反射されたＳ偏光成分に係る照明光束を第１の偏光分離面２２
を透過したＰ偏光成分に係る照明光束に平行な方向に向けて反射する第１の反射面２４と
を有している。
【００５７】
第１のλ／２板３０は、後述する偏光ビームコンバイナ９０の第１の光入射面９４にお
ける所定位置（第１の偏光分離光学素子２０から射出されるＳ偏光成分に係る照明光束が
通過する位置）に配置されている。そして、Ｓ偏光成分に係る照明光束をＰ偏光成分に係
る照明光束に変換する。
【００５８】
第１の偏光光源装置４０は、上記のように構成されているため、第１の光源装置１０か
らの照明光束をＰ偏光成分に係る照明光束に揃えて射出することが可能となる。
【００５９】
なお、第１の偏光分離光学素子２０は、Ｐ偏光成分に係る照明光束を透過しＳ偏光成分
に係る照明光束を反射する第１の偏光分離面２２を、Ｓ偏光成分に係る照明光束を透過し
Ｐ偏光成分に係る照明光束を反射する他の第１の偏光分離面に替えることも可能である。
この場合は、他の第１の偏光分離面を透過したＳ偏光成分に係る照明光束が通過する位置
に第１のλ／２板３０が配置される。このように他の第１の偏光分離面を備えた第１の偏
光分離光学素子としても、第１の偏光光源装置４０は、第１の光源装置１０からの照明光
束をＰ偏光成分に係る照明光束に揃えて射出することが可能となる。
【００６０】
第２の偏光光源装置８０は、図１〜図３に示すように、略平行な照明光束を射出する第
２の光源装置５０と、第２の光源装置５０からの照明光束をＰ偏光成分（第１の偏光成分
）に係る照明光束とＳ偏光成分（第２の偏光成分）に係る照明光束とに分離する第２の偏
光分離光学素子６０と、第２の偏光分離光学素子６０から射出されるＰ偏光成分に係る照
明光束が通過する位置に配置される第２の位相差板としての第２のλ／２板７０とを有し
ている。
【００６１】
第２の光源装置５０は、第２の楕円面リフレクタ５４と、第２の楕円面リフレクタ５４
の第１焦点近傍に発光中心を有する第２の発光管５２と、第２の楕円面リフレクタ５４か
らの集束光を第２の偏光分離光学素子６０の光入射面における第２の偏光分離面６２に対
応する位置に向けて射出する第２の凹レンズ５８とを有している。第２の発光管５２には
、第２の発光管５２から被照明領域側に射出される光を第２の発光管５２に向けて反射す
る第２の反射手段としての第２の補助ミラー５６が設けられている。第２の光源装置５０
は、光軸５０ａｘを中心軸とする光束を射出する。
【００６２】
第２の発光管５２は、管球部と、管球部の両側に延びる一対の封止部とを有している。
第２の楕円面リフレクタ５４は、第２の発光管５２の一方の封止部に挿通・固着される
筒状の首状部と、第２の発光管５２から放射された光を第２焦点位置に向けて反射する反
射凹面とを有している。
【００６３】
第２の補助ミラー５６は、第２の発光管５２の管球部を挟んで第２の楕円面リフレクタ
５４と対向して設けられ、第２の発光管５２から放射された光のうち第２の楕円面リフレ
クタ５４に向かわない光を第２の発光管５２に戻し第２の楕円面リフレクタ５４に入射さ
せる。
【００６４】
第２の凹レンズ５８は、第２の楕円面リフレクタ５４の被照明領域側に配置されている
。そして、第２の楕円面リフレクタ５４からの光を第２の偏光分離光学素子６０に向けて
射出するように構成されている。
【００６５】
第２の偏光分離光学素子６０は、図２及び図３に示すように、第２の光源装置５０から
の照明光束のうちＰ偏光成分に係る照明光束を透過しＳ偏光成分に係る照明光束を第２の
光源装置５０の光軸５０ａｘから遠ざかる方向に向けて反射する第２の偏光分離面６２と
、第２の偏光分離面６２で反射されたＳ偏光成分に係る照明光束を第２の偏光分離面６２
を透過したＰ偏光成分に係る照明光束に平行な方向に向けて反射する第２の反射面６４と
を有している。
【００６６】
第２のλ／２板７０は、後述する偏光ビームコンバイナ９０の第２の光入射面９６にお
ける所定位置（第２の偏光分離光学素子６０から射出されるＰ偏光成分に係る照明光束が
通過する位置）に配置されている。そして、Ｐ偏光成分に係る照明光束をＳ偏光成分に係
る照明光束に変換する。
【００６７】
第２の偏光光源装置８０は、上記のように構成されているため、第２の光源装置５０か
らの照明光束をＳ偏光成分に係る照明光束に揃えて射出することが可能となる。
【００６８】
なお、第２の偏光分離光学素子６０は、Ｐ偏光成分に係る照明光束を透過しＳ偏光成分
に係る照明光束を反射する第２の偏光分離面６２を、Ｓ偏光成分に係る照明光束を透過し
Ｐ偏光成分に係る照明光束を反射する他の第２の偏光分離面に替えることも可能である。
この場合は、他の第２の偏光分離面で反射されたＰ偏光成分に係る照明光束が通過する位
置に第２のλ／２板７０が配置される。このように他の第２の偏光分離面を備えた第２の
偏光分離光学素子としても、第２の偏光光源装置８０は、第２の光源装置５０からの照明
光束をＳ偏光成分に係る照明光束に揃えて射出することが可能となる。
【００６９】
偏光ビームコンバイナ９０は、第１の光入射面９４を有する三角柱プリズムと第２の光
入射面９６を有する三角柱プリズムとを貼り合わせた平面視略正方形状をなし、三角柱プ
リズム同士を貼り合わせた界面には、Ｐ偏光成分に係る照明光束を透過しＳ偏光成分に係
る照明光束を反射する偏光合成面９２が形成されている。第１の偏光光源装置４０から射
出され第１の光入射面９４に入射したＰ偏光成分に係る照明光束は、偏光合成面９２を透
過する。第２の偏光光源装置８０から射出され第２の光入射面９６に入射したＳ偏光成分
に係る照明光束は、偏光合成面９２で反射される。これにより、第１の偏光光源装置４０
から射出されるＰ偏光成分に係る照明光束と第２の偏光光源装置８０から射出されるＳ偏
光成分に係る照明光束とが合成されて、偏光ビームコンバイナ９０からインテグレータ光
学系１２０に向けて射出されることとなる。
【００７０】
偏光ビームコンバイナ９０において第１の偏光光源装置４０及び第２の偏光光源装置８
０から射出される照明光束が合成される様子について具体的に説明する。偏光ビームコン
バイナ９０は、図３に示すように、第１の偏光分離面２２を透過したＰ偏光成分に係る照
明光束と第２の偏光分離面６２で反射されたＳ偏光成分に係る照明光束とを合成する。ま
た、第１の偏光分離面２２で反射されたのち第１のλ／２板３０によって偏光変換された
Ｐ偏光成分に係る照明光束と第２の偏光分離面６２を透過したのち第２のλ／２板７０で
偏光変換されたＳ偏光成分に係る照明光束とを合成する。そして、合成した光をインテグ
レータ光学系１２０に向けて射出する（図２及び図５参照。）。
【００７１】
このような偏光ビームコンバイナ９０は、偏光ビームスプリッタと同様の構成を備える
ものであるが、光の通過方向が偏光ビームスプリッタとは逆になっており、互いに偏光方
向が垂直である２種類の直線偏光を合成し、見かけ上無偏光の光を射出する。
【００７２】
次に、インテグレータ光学系１２０の構成を説明する。
【００７３】
インテグレータ光学系１２０は、図２、図４及び図５に示すように、偏光ビームコンバ
イナ９０からの照明光束を複数の部分光束に分割する複数の第１小レンズ１３２，１３６
をそれぞれ有する２つの第１レンズアレイ１３０，１３４と、２つの第１レンズアレイ１
３０，１３４の各第１小レンズ１３２，１３６に対応する複数の第２小レンズ１４２，１
４６をそれぞれ有する２つの第２レンズアレイ１４０，１４４と、２つの第２レンズアレ
イ１４０，１４４からのそれぞれの部分光束を略１種類の直線偏光成分を有する光束に変
換する２つの偏光変換素子１５０，１５５と、２つの偏光変換素子１５０，１５５からの
それぞれの光を被照明領域で重畳させる重畳レンズ１６０とを有している。
【００７４】
第１レンズアレイ１３０，１３４は、図４に示すように、偏光ビームコンバイナ９０か
らの光を複数の部分光束に分割する光束分割光学素子としての機能を有し、複数の第１小
レンズ１３２，１３６がｚ軸に垂直な面内に６行・４列のマトリクス状に配列された構成
を有している。第１レンズアレイ１３０，１３４の各第１小レンズ１３２，１３６の輪郭
形状は、液晶装置４００Ｒ，４００Ｇ，４００Ｂの画像形成領域の形状とほぼ相似形をな
すように設定されている。実施形態１に係る照明装置１００においては、各第１小レンズ
１３２，１３６は、「短辺：長辺＝３：４の長方形」の平面形状を有している。
【００７５】
第２レンズアレイ１４０，１４４は、第１レンズアレイ１３０，１３４と略同様な構成
を有し、ｚ軸に垂直な面内に複数の第２小レンズ１４２，１４６が６行・４列のマトリク
ス状に配列された構成を有している。第２レンズアレイ１４０，１４４は、重畳レンズ１
６０とともに、第１レンズアレイ１３０，１３４の各第１小レンズ１３２，１３６の像を
液晶装置４００Ｒ，４００Ｇ，４００Ｂの画像形成領域近傍に結像させる機能を有する。
【００７６】
偏光変換素子１５０，１５５は、第１レンズアレイ１３０，１３４により分割された各
部分光束の偏光方向を、偏光方向の揃った略１種類の直線偏光光として射出する偏光変換
素子である。
【００７７】
偏光変換素子１５０は、第２レンズアレイ１４０から射出される光束のうちＰ偏光成分
（一方の偏光成分）に係る光束を透過しＳ偏光成分（他方の偏光成分）に係る光束をシス
テム光軸ＯＣから遠ざかる方向（ｘ軸方向）に向けて反射する偏光分離面１５１と、偏光
分離面１５１で反射されたＳ偏光成分に係る光束を偏光分離面１５１を透過したＰ偏光成
分に係る光束に平行な方向（ｚ軸方向）に向けて反射する反射面１５２と、偏光変換素子
１５０の光射出面におけるＰ偏光成分に係る光束が射出される位置に配置され、Ｐ偏光成
分に係る光束をＳ偏光成分に係る光束に変換する位相差板としてのλ／２板１５３とを有
している。
【００７８】
偏光変換素子１５５も、偏光変換素子１５０と同様の構成を有し、第２レンズアレイ１
４４から射出される光束のうちＰ偏光成分（一方の偏光成分）に係る光束を透過しＳ偏光
成分（他方の偏光成分）に係る光束をシステム光軸ＯＣから遠ざかる方向（ｘ軸方向）に
向けて反射する偏光分離面１５６と、偏光分離面１５６で反射されたＳ偏光成分に係る光
束を偏光分離面１５６を透過したＰ偏光成分に係る光束に平行な方向（ｚ軸方向）に向け
て反射する反射面１５７と、偏光変換素子１５５の光射出面におけるＰ偏光成分に係る光
束が射出される位置に配置され、Ｐ偏光成分に係る光束をＳ偏光成分に係る光束に変換す
る位相差板としてのλ／２板１５８とを有している。
【００７９】
重畳レンズ１６０は、第１レンズアレイ１３０，１３４、第２レンズアレイ１４０，１
４４及び偏光変換素子１５０，１５５を経た複数の部分光束を集光して液晶装置４００Ｒ
，４００Ｇ，４００Ｂの画像形成領域近傍に重畳させるための光学素子である。重畳レン
ズ１６０の光軸と照明装置１００のシステム光軸ＯＣとが略一致するように、重畳レンズ
１６０が配置されている。なお、図１、図２及び図５に示す重畳レンズ１６０は１枚のレ
ンズで構成されているが、複数のレンズを組み合わせた複合レンズで構成されていてもよ
い。
【００８０】
第１レンズアレイ１３０、第２レンズアレイ１４０及び偏光変換素子１５０と、第１レ
ンズアレイ１３４、第２レンズアレイ１４４及び偏光変換素子１５５とは、図２に示すよ
うに、システム光軸ＯＣ（重畳レンズ１６０の光軸）を含む仮想面に対して対称に配置さ
れている。
【００８１】
次に、インテグレータ光学系１２０よりも光路後段に配置された各光学要素の構成を説
明する。
【００８２】
色分離導光光学系２００は、図１に示すように、ダイクロイックミラー２１０，２２０
と、反射ミラー２３０，２４０，２５０と、入射側レンズ２６０と、リレーレンズ２７０
とを有している。色分離導光光学系２００は、重畳レンズ１６０から射出される照明光束
を、赤色光、緑色光及び青色光の３つの色光に分離して、それぞれの色光を照明対象とな
る３つの液晶装置４００Ｒ，４００Ｇ，４００Ｂに導く機能を有している。
【００８３】
ダイクロイックミラー２１０，２２０は、基板上に所定の波長領域の光束を反射し、他
の波長領域の光束を透過する波長選択膜が形成された光学素子である。光路前段に配置さ
れるダイクロイックミラー２１０は、赤色光成分を反射し、その他の色光成分を透過させ
るミラーである。光路後段に配置されるダイクロイックミラー２２０は、緑色光成分を反
射し、青色光成分を透過させるミラーである。
【００８４】
ダイクロイックミラー２１０で反射された赤色光成分は、反射ミラー２３０により曲折
され、集光レンズ３００Ｒを介して赤色光用の液晶装置４００Ｒの画像形成領域に入射す
る。
【００８５】
集光レンズ３００Ｒは、重畳レンズ１６０からの各部分光束を各主光線に対して略平行
な光束に変換するために設けられている。他の液晶装置４００Ｇ，４００Ｂの光路前段に
配置された集光レンズ３００Ｇ，３００Ｂも、集光レンズ３００Ｒと同様に構成されてい
る。
【００８６】
ダイクロイックミラー２１０を透過した緑色光成分及び青色光成分のうち緑色光成分は
、ダイクロイックミラー２２０で反射され、集光レンズ３００Ｇを通過して緑色光用の液
晶装置４００Ｇの画像形成領域に入射する。一方、青色光成分は、ダイクロイックミラー
２２０を透過し、入射側レンズ２６０、入射側の反射ミラー２４０、リレーレンズ２７０
、射出側の反射ミラー２５０及び集光レンズ３００Ｂを通過して青色光用の液晶装置４０
０Ｂの画像形成領域に入射する。入射側レンズ２６０、リレーレンズ２７０及び反射ミラ
ー２４０，２５０は、ダイクロイックミラー２２０を透過した青色光成分を液晶装置４０
０Ｂまで導く機能を有している。
【００８７】
なお、青色光の光路にこのような入射側レンズ２６０、リレーレンズ２７０及び反射ミ
ラー２４０，２５０が設けられているのは、青色光の光路の長さが他の色光の光路の長さ
よりも長いため、光の発散等による光の利用効率の低下を防止するためである。実施形態
１に係るプロジェクタ１０００においては、青色光の光路の長さが長いのでこのような構
成とされているが、赤色光の光路の長さを長くして、入射側レンズ２６０、リレーレンズ
２７０及び反射ミラー２４０，２５０を赤色光の光路に用いる構成も考えられる。
【００８８】
液晶装置４００Ｒ，４００Ｇ，４００Ｂは、照明光束を画像情報に応じて変調するもの
であり、照明装置１００の照明対象となる。
液晶装置４００Ｒ，４００Ｇ，４００Ｂは、一対の透明なガラス基板に電気光学物質で
ある液晶を密閉封入したものであり、例えば、ポリシリコンＴＦＴをスイッチング素子と
して、与えられた画像情報に従って、入射側偏光板から射出された１種類の直線偏光の偏
光方向を変調する。
液晶装置４００Ｒ,４００Ｇ,４００Ｂとしては、画像形成領域が「短辺：長辺＝３：４
の長方形」の平面形状を有する液晶装置を用いている。
【００８９】
なお、図示を省略したが、各集光レンズ３００Ｒ，３００Ｇ，３００Ｂと各液晶装置４
００Ｒ，４００Ｇ，４００Ｂとの間には、それぞれ入射側偏光板が介在配置され、各液晶
装置４００Ｒ，４００Ｇ，４００Ｂとクロスダイクロイックプリズム５００との間には、
それぞれ射出側偏光板が介在配置されている。これら入射側偏光板、液晶装置４００Ｒ，
４００Ｇ，４００Ｂ及び射出側偏光板によって入射する各色光の光変調が行われる。
【００９０】
クロスダイクロイックプリズム５００は、射出側偏光板から射出された各色光毎に変調
された光学像を合成してカラー画像を形成する光学素子である。このクロスダイクロイッ
クプリズム５００は、４つの直角プリズムを貼り合わせた平面視略正方形状をなし、直角
プリズム同士を貼り合わせた略Ｘ字状の界面には、誘電体多層膜が形成されている。略Ｘ
字状の一方の界面に形成された誘電体多層膜は、赤色光を反射するものであり、他方の界
面に形成された誘電体多層膜は、青色光を反射するものである。これらの誘電体多層膜に
よって赤色光及び青色光は曲折され、緑色光の進行方向と揃えられることにより、３つの
色光が合成される。
【００９１】
クロスダイクロイックプリズム５００から射出されたカラー画像は、投写光学系６００
によって拡大投写され、スクリーンＳＣＲ上で大画面画像を形成する。
【００９２】
以上のように構成された実施形態１に係る照明装置１００によれば、第１の偏光光源装
置４０及び第２の偏光光源装置８０から互いに異なる偏光軸を有する直線偏光を射出させ
、これらの直線偏光を偏光ビームコンバイナ９０における第１の光入射面９４及び第２の
光入射面９６にそれぞれ入射させることにより、偏光ビームコンバイナ９０からは、２つ
の光源装置（第１の光源装置１０及び第２の光源装置５０）からの照明光束が同じ角度を
もって重畳された形で射出されるようになる。このため、図７及び図８に示すように、２
つの光源装置のうちいずれの光源装置において発光管の発光が弱まったり切れたりしても
、被照明領域における面内光強度分布が不均一になることを抑制することが可能となると
ともに投写画像の品質が劣化することを抑制することが可能となる。
【００９３】
また、実施形態１に係る照明装置１００によれば、偏光ビームコンバイナ９０の光路後
段に２つの第１レンズアレイ１３０，１３４、２つの第２レンズアレイ１４０，１４４及
び２つの偏光変換素子１５０，１５５が配置された構成を有しているため、偏光ビームコ
ンバイナの光路後段に第１レンズアレイ、第２レンズアレイ及び偏光変換素子がそれぞれ
１つずつ配置された構成を有するものと比べて、各第１レンズアレイ１３０，１３４、第
２レンズアレイ１４０，１４４及び偏光変換素子１５０，１５５の大きさを小さくするこ
とができ、第１レンズアレイ１３０，１３４、第２レンズアレイ１４０，１４４及び偏光
変換素子１５０，１５５の製造が容易となるという効果もある。
【００９４】
また、実施形態１に係る照明装置１００は次のような効果も有する。
図９は、実施形態１に係る照明装置１００及び比較例に係る照明装置９００を説明する
ために示す図である。図９（ａ）は比較例に係る照明装置９００において、第１の光源装
置１０及び第２の光源装置５０から射出される照明光束が偏光分離及び合成される様子を
模式的に示す図であり、図９（ｂ）は実施形態１に係る照明装置１００において、第１の
光源装置１０及び第２の光源装置５０から射出される照明光束が偏光分離及び合成される
様子を模式的に示す図である。なお、図９においては、偏光分離による光量の偏り（光量
の大小）を矢印の太さで表現している。
【００９５】
比較例に係る照明装置９００は、基本的には実施形態１に係る照明装置１００とよく似
た構成を有しているが、偏光ビームコンバイナにおいて第１の偏光分離光学素子の構成が
実施形態１に係る照明装置１００とは異なっている。
【００９６】
すなわち、比較例に係る照明装置９００においては、図９（ａ）に示すように、第１の
偏光分離光学素子２０（図９（ｂ）参照。）とは偏光分離する向きが異なる第１の偏光分
離光学素子９２０を用いている。そして、第１の偏光分離光学素子９２０における第１の
偏光分離面９２２を透過した照明光束と第２の偏光分離光学素子６０における第２の偏光
分離面６２を透過した照明光束とが合成され、第１の偏光分離光学素子９２０における第
１の偏光分離面９２２で反射された照明光束と第２の偏光分離光学素子６０における第２
の偏光分離面６２で反射された照明光束とが合成されるように、第１の偏光分離光学素子
９２０及び第２の偏光分離光学素子６０がそれぞれ配置されている。
【００９７】
ここで、偏光分離光学素子は、その偏光分離面において入射する照明光束をＰ偏光成分
に係る照明光束及びＳ偏光成分に係る照明光束にそれぞれ１対１の割合で偏光分離するこ
とが望ましいが、製造上のばらつきにより、その偏光分離に偏りが存在するものもある。
偏光分離に偏りが存在する偏光分離光学素子においては、偏光分離面に入射する照明光束
の光強度を１００としたとき、例えば、偏光分離面を透過したＰ偏光成分に係る照明光束
の光強度が５２となり、偏光分離面で反射されたＳ偏光成分に係る照明光束の光強度は４
８となる場合もある。
【００９８】
このような偏光分離に偏りが存在する偏光分離光学素子を比較例に係る照明装置９００
における第１の偏光分離光学素子９２０及び第２の偏光分離光学素子６０として用いた場
合には、図９（ａ）に示すように、偏光ビームコンバイナ９０から射出される照明光束に
光量差が生じてしまい、照明むらが発生してしまう。
【００９９】
これに対し、実施形態１に係る照明装置１００によれば、図９（ｂ）に示すように、第
１の偏光分離光学素子２０における第１の偏光分離面２２を透過した照明光束と第２の偏
光分離光学素子６０における第２の偏光分離面６２で反射された照明光束とが合成され、
第１の偏光分離光学素子２０における第１の偏光分離面２２で反射された照明光束と第２
の偏光分離光学素子６０における第２の偏光分離面６２を透過した照明光束とが合成され
るように、第１の偏光分離光学素子２０及び第２の偏光分離光学素子６０をそれぞれ配置
しているため、偏光分離に偏りが存在する偏光分離光学素子を用いた場合であっても、偏
光分離面を透過した照明光束の光強度と、偏光分離面で反射された照明光束の光強度との
差を相殺することができる。このため、偏光ビームコンバイナ９０から射出される照明光
束に光量差が生じることを抑制することができる。これにより、第１レンズアレイ１３０
、第２レンズアレイ１４０及び偏光変換素子１５０を通過する照明光束と第１レンズアレ
イ１３４、第２レンズアレイ１４４及び偏光変換素子１５５を通過する照明光束との間に
おいても光量差が生じることを抑制することができるため（図６参照。）、照明装置１０
０から射出される照明光束について照明むらの発生を抑制することが可能となる。
【０１００】
実施形態１に係る照明装置１００においては、第１の偏光分離光学素子２０及び第２の
偏光分離光学素子６０として、同じロットで製造された偏光分離光学素子を備えている。
これにより、（ア）第１の偏光分離面２２を透過するＰ偏光成分の光強度と第１の偏光分
離面２２で反射されるＳ偏光成分の光強度との比が、第２の偏光分離面６２を透過するＰ
偏光成分の光強度と第２の偏光分離面６２で反射されるＳ偏光成分の光強度との比と同じ
であり、（イ）第１の偏光分離面２２を透過するＰ偏光成分の光強度の大きさが第２の偏
光分離面６２を透過するＰ偏光成分の光強度の大きさと同じであり、（ウ）第１の偏光分
離面２２で反射されるＳ偏光成分の光強度の大きさが第２の偏光分離面６２で反射される
Ｓ偏光成分の光強度の大きさと同じであることから、第１の偏光光源装置４０からの照明
光束における偏光分離の偏りと第２の偏光光源装置８０からの照明光束における偏光分離
の偏りとが偏光ビームコンバイナ９０によって相殺されることとなる。このため、偏光ビ
ームコンバイナ９０から射出される照明光束に光量差が生じることをさらに抑制すること
ができ、照明むらの発生をさらに抑制することが可能となる。
【０１０１】
なお、実施形態１に係る照明装置１００を２組以上用いることによって、２つの光源装
置を有する２灯式のプロジェクタのみならず、４組以上の光源装置を有する多灯式のプロ
ジェクタを構成できるようになる。
【０１０２】
実施形態１に係る照明装置１００においては、上記したように、第１の光源装置１０は
、第１の楕円面リフレクタ１４と、第１の発光管１２と、第１の凹レンズ１８とを有し、
第２の光源装置５０は、第２の楕円面リフレクタ５４と、第２の発光管５２と、第２の凹
レンズ５８とを有している。
【０１０３】
このため、第１の光源装置１０及び第２の光源装置５０からは各楕円面リフレクタ１４
，５４の大きさよりも小さな平行光束が射出されるようになるため、プロジェクタの小型
化を図ることができる。
【０１０４】
実施形態１に係る照明装置１００においては、上記したように、第１の発光管１２及び
第２の発光管５２には、反射手段としての第１の補助ミラー１６及び第２の補助ミラー５
６がそれぞれ設けられている。
【０１０５】
このため、各発光管１２，５２から被照明領域側に放射される光が各発光管１２，５２
に向けて反射されるため、各発光管１２，５２の被照明領域側端部まで覆うような大きさ
に各楕円面リフレクタ１４，５４の大きさを設定することを必要とせず、各楕円面リフレ
クタ１４，５４の小型化を図ることができ、結果としてプロジェクタの小型化を図ること
ができる。
また、各楕円面リフレクタ１４，５４の小型化を図ることができることにより、各楕円
面リフレクタ１４，５４から各楕円面リフレクタ１４，５４の第２焦点に向けて集束する
ビームの集束角やビームスポットを小さくすることができるため、各凹レンズ１８，５８
の大きさ、各偏光分離光学素子２０，６０の大きさ、偏光ビームコンバイナ９０の大きさ
をさらに小さくすることができ、照明装置のさらなる小型化を図ることができる。
【０１０６】
実施形態１に係る照明装置１００においては、偏光ビームコンバイナ９０と第１の偏光
分離光学素子２０、第１の偏光分離光学素子２０と第１の凹レンズ１８、偏光ビームコン
バイナ９０と第２の偏光分離光学素子６０及び第２の偏光分離光学素子６０と第２の凹レ
ンズ５８は、それぞれ離隔して配置されているため、各光学要素間の位置調整を容易に行
うことができるようになる。また、各光学要素に及ぼす熱的影響を軽減することができる
。
【０１０７】
なお、ここでは図示を省略したが、偏光ビームコンバイナ９０の第１の光入射面９４及
び第２の光入射面９６、第１の偏光分離光学素子２０の光入射面及び光射出面、第２の偏
光分離光学素子６０の光入射面及び光射出面、第１の凹レンズ１８の光入射面及び光射出
面並びに第２の凹レンズ５８の光入射面及び光射出面には、減反射膜がコーティングされ
ている。これにより、これら各光学要素に入射する照明光束並びにこれら各光学要素から
射出される照明光束における不要な反射の発生を抑制することができる。
【０１０８】
実施形態１に係る照明装置１００においては、第１のλ／２板３０及び第２のλ／２板
７０の材料として水晶を用いている。
【０１０９】
第１の偏光分離光学素子２０及び第２の偏光分離光学素子６０から射出される光は、単
位面積当たりの光強度が極めて強いため、第１のλ／２板３０及び第２のλ／２板７０で
少しの割合でも光が吸収されると多量の熱が発生し、第１のλ／２板３０及び第２のλ／
２板７０の温度が上昇してしまう。実施形態１に係る照明装置１００によれば、第１のλ
／２板３０及び第２のλ／２板７０として水晶を用いているため、第１のλ／２板３０及
び第２のλ／２板７０の温度上昇を抑制することができる。
【０１１０】
実施形態１に係る照明装置１００においては、２つの第１レンズアレイ１３０，１３４
のそれぞれは、各第１小レンズ１３２，１３６が縦方向及び横方向をそれぞれ６行と４列
とするマトリクス状に配列されたレンズアレイであるため、レンズアレイによる十分な光
均一化効果を得ながら光路後段に配置される偏光変換素子１５０，１５５を比較的単純で
小型の構造にすることが可能となる。実施形態１に係る照明装置１００は、画像形成領域
のアスペクト比（縦横比）が３：４である液晶装置を備えるプロジェクタに好適な照明装
置となる。
【０１１１】
実施形態１に係る照明装置１００においては、各第２レンズアレイ１４０，１４４にお
ける横方向（ｘ軸方向）に沿った長さは、各第１レンズアレイ１３０，１３４における横
方向（ｘ軸方向）に沿った長さと略同一であるため、第１レンズアレイ１３０，１３４及
び第２レンズアレイ１４０，１４４として偏心のない又は偏心の小さいレンズアレイを用
いることが可能となり、第１レンズアレイ１３０，１３４及び第２レンズアレイ１４０，
１４４の製造が容易となる。
【０１１２】
実施形態１に係る照明装置１００においては、２つの偏光変換素子１５０，１５５のそ
れぞれは、第２レンズアレイ１４０，１４４から射出される光束のうちＰ偏光成分に係る
光束を透過しＳ偏光成分に係る光束をシステム光軸ＯＣから遠ざかる方向（ｘ軸方向）に
向けて反射する偏光分離面１５１，１５６を有しているため、システム光軸ＯＣ（重畳レ
ンズ１６０の光軸）近傍における光束の密度を減らすことができ、偏光変換素子１５０，
１５５の配置の自由度を高めることが可能となる。
【０１１３】
実施形態１に係るプロジェクタ１０００は、上記した実施形態１に係る照明装置１００
と、照明装置１００からの光を画像情報に応じて変調する液晶装置４００Ｒ，４００Ｇ，
４００Ｂと、液晶装置４００Ｒ，４００Ｇ，４００Ｂにより変調された光を投写する投写
光学系６００とを備えている。
【０１１４】
このため、実施形態１に係るプロジェクタ１０００によれば、上記した照明装置１００
を備えているため、高輝度のプロジェクタであって、第１の光源装置１０及び第２の光源
装置５０のうちいずれの光源装置において発光管の発光が弱まったり切れたりしても、投
写画像の品質が劣化することを抑制することが可能なプロジェクタとなる。
【０１１５】
なお、実施形態１に係る照明装置１００においては、偏光ビームコンバイナ９０と第１
の偏光分離光学素子２０、第１の偏光分離光学素子２０と第１の凹レンズ１８、偏光ビー
ムコンバイナ９０と第２の偏光分離光学素子６０、及び第２の偏光分離光学素子６０と第
２の凹レンズ５８は、それぞれ離隔して配置されているが、本発明はこれに限定されるも
のではなく、例えば次のような変形も可能である。
【０１１６】
［変形例１］
図１０は、実施形態１の変形例１に係る照明装置１００ａの要部を示す平面図である。
なお、図１０において、図３と同一の部材については同一の符号を付し、詳細な説明は省
略する。
【０１１７】
実施形態１の変形例１に係る照明装置１００ａは、基本的には実施形態１に係る照明装
置１００とよく似た構成を有しているが、図１０に示すように、偏光ビームコンバイナと
第１の偏光分離光学素子及び偏光ビームコンバイナと第２の偏光分離光学素子がそれぞれ
接着されている点で、実施形態１に係る照明装置１００とは異なっている。
【０１１８】
すなわち、実施形態１の変形例１に係る照明装置１００ａにおいては、図１０に示すよ
うに、偏光ビームコンバイナ９０の第１の光入射面９４と第１の偏光分離光学素子２０の
光射出面及び第１のλ／２板３０とが、接着層Ｃを介して接着されている。また、偏光ビ
ームコンバイナ９０の第２の光入射面９６と第２の偏光分離光学素子６０の光射出面及び
第２のλ／板７０とが、接着層Ｃを介して接着されている。
【０１１９】
このため、偏光ビームコンバイナ９０と第１の偏光分離光学素子２０との間、及び偏光
ビームコンバイナ９０と第２の偏光分離光学素子６０との間における不要な反射を低減さ
せることが可能となり、光利用効率が向上するとともに迷光レベルが低減する。
【０１２０】
［変形例２］
図１１は、実施形態１の変形例２に係る照明装置１００ｂの要部を示す平面図である。
なお、図１１において、図３と同一の部材については同一の符号を付し、詳細な説明は省
略する。
【０１２１】
実施形態１の変形例２に係る照明装置１００ｂは、基本的には実施形態１に係る照明装
置１００とよく似た構成を有しているが、図１１に示すように、偏光ビームコンバイナと
第１の偏光分離光学素子、偏光ビームコンバイナと第２の偏光分離光学素子、第１の偏光
分離光学素子と第１の光源装置における第１の凹レンズ及び第２の偏光分離光学素子と第
２の光源装置における第２の凹レンズがそれぞれ接着されている点で、実施形態１に係る
照明装置１００とは異なっている。
【０１２２】
すなわち、実施形態１の変形例２に係る照明装置１００ｂにおいては、図１１に示すよ
うに、偏光ビームコンバイナ９０の第１の光入射面９４と第１の偏光分離光学素子２０の
光射出面及び第１のλ／２板３０とが、接着層Ｃを介して接着されている。また、偏光ビ
ームコンバイナ９０の第２の光入射面９６と第２の偏光分離光学素子６０の光射出面及び
第２のλ／板７０とが、接着層Ｃを介して接着されている。また、第１の偏光分離光学素
子２０の光入射面と第１の凹レンズ１８の光射出面とが、接着層Ｃを介して接着されてい
る。また、第２の偏光分離光学素子６０の光入射面と第２の凹レンズ５８の光射出面とが
、接着層Ｃを介して接着されている。
【０１２３】
このため、偏光ビームコンバイナ９０と第１の偏光分離光学素子２０との間、偏光ビー
ムコンバイナ９０と第２の偏光分離光学素子６０との間、第１の偏光分離光学素子２０と
第１の凹レンズ１８との間及び第２の偏光分離光学素子６０と第２の凹レンズ５８との間
における不要な反射を低減させることが可能となり、光利用効率が向上するとともに迷光
レベルが低減する。
【０１２４】
また、実施形態１に係る照明装置１００においては、第１のλ／２板３０及び第２のλ
／２板７０が近接して配置されているが、本発明はこれに限定されるものではなく、例え
ば次のような変形も可能である。
【０１２５】
［変形例３］
図１２は、実施形態１の変形例３に係る照明装置１００ｃの要部を示す平面図である。
なお、図１２において、図３と同一の部材については同一の符号を付し、詳細な説明は省
略する。
【０１２６】
実施形態１の変形例３に係る照明装置１００ｃは、基本的には実施形態１に係る照明装
置１００とよく似た構成を有しているが、図１２に示すように、第１のλ／２板及び第２
のλ／２板の配置位置が、実施形態１に係る照明装置１００とは異なっている。
【０１２７】
すなわち、実施形態１の変形例３に係る照明装置１００ｃにおいては、図１２に示すよ
うに、第１のλ／２板３０ｃ及び第２のλ／２板７０ｃが離隔して配置されている。なお
、第１のλ／２板３０ｃの配置位置が異なることに伴い、第１の光源装置１０の配置位置
及び第１の偏光分離光学素子２０ｃの構成が実施形態１で説明したものとは異なっている
。また、第２のλ／２板７０ｃの配置位置が異なることに伴い、第２の光源装置５０の配
置位置及び第２の偏光分離光学素子６０ｃの構成が実施形態１で説明したものとは異なっ
ている。
【０１２８】
このように、実施形態１の変形例３に係る照明装置１００ｃは、実施形態１に係る照明
装置１００とは第１のλ／２板及び第２のλ／２板の配置位置が異なっているが、実施形
態１に係る照明装置１００の場合と同様に、第１の偏光分離光学素子２０ｃにおける第１
の偏光分離面２２ｃを透過した照明光束と第２の偏光分離光学素子６０ｃにおける第２の
偏光分離面６２ｃで反射された照明光束とが合成され、第１の偏光分離光学素子２０ｃに
おける第１の偏光分離面２２ｃで反射された照明光束と第２の偏光分離光学素子６０ｃに
おける第２の偏光分離面６２ｃを透過した照明光束とが合成されるように、第１の偏光分
離光学素子２０ｃ及び第２の偏光分離光学素子６０ｃをそれぞれ配置しているため、偏光
分離に偏りが存在する偏光分離光学素子を用いた場合であっても、偏光分離面を透過した
照明光束の光強度と、偏光分離面で反射された照明光束の光強度との差を相殺することが
できる。このため、偏光ビームコンバイナ９０から射出される照明光束に光量差が生じる
ことを抑制することができ、照明むらの発生を抑制することが可能となる。
【０１２９】
また、実施形態１に係る照明装置１００においては、２枚のλ／２板（第１のλ／２板
３０及び第２のλ／２板７０）が偏光ビームコンバイナ９０の第１の光入射面９４及び第
２の光入射面９６にそれぞれ接着されているが、本発明はこれに限定されるものではなく
、例えば次のような変形も可能である。
【０１３０】
［変形例４］
図１３は、実施形態１の変形例４に係る照明装置１００ｄの要部を示す平面図である。
なお、図１３において、図３と同一の部材については同一の符号を付し、詳細な説明は省
略する。
【０１３１】
実施形態１の変形例４に係る照明装置１００ｄは、基本的には実施形態１に係る照明装
置１００とよく似た構成を有しているが、図１３に示すように、λ／２板の構成が、実施
形態１に係る照明装置１００とは異なっている。
【０１３２】
すなわち、実施形態１の変形例４に係る照明装置１００ｄにおいては、図１３に示すよ
うに、第１のλ／２板及び第２のλ／２板として１枚のλ／２板３２を備え、λ／２板３
２は、偏光ビームコンバイナ９０の第１の光入射面９４及び第２の光入射面９６に跨って
接着されている。
【０１３３】
このように、実施形態１の変形例４に係る照明装置１００ｄは、実施形態１に係る照明
装置１００とはλ／２板の構成が異なっているが、他の点では実施形態１に係る照明装置
１００の場合と同様の構成を有しているため、第１の光源装置１０及び第２の光源装置５
０のうちいずれの光源装置において発光管の発光が弱まったり切れたりしても、被照明領
域における面内光強度分布が不均一になることを抑制することが可能となるとともに投写
画像の品質が劣化することを抑制することが可能となる。
【０１３４】
また、実施形態１の変形例４に係る照明装置１００ｄにおいては、第１のλ／２板及び
第２のλ／２板として１枚のλ／２板３２を備えるため、製造コストの低減を図ることが
できるという効果も有する。
【０１３５】
［実施形態２］
実施形態２に係る照明装置１０２及びプロジェクタ１００２の特徴及び効果を説明する
にあたり、まず、プロジェクタ１００２の構成について、図１４を用いて説明する。
【０１３６】
図１４は、実施形態２に係る照明装置１０２及びプロジェクタ１００２を説明するため
に示す図である。図１４（ａ）はプロジェクタ１００２の光学系を示す平面図であり、図
１４（ｂ）はプロジェクタ１００２の光学系を示す側面図であり、図１４（ｃ）はカラー
ホイール７１０をシステム光軸ＯＣに沿って見た図である。なお、図１４（ａ）及び図１
４（ｂ）において、図１と同一の部材については同一の符号を付し、詳細な説明は省略す
る。
【０１３７】
実施形態２に係るプロジェクタ１００２は、図１４（ａ）及び図１４（ｂ）に示すよう
に、照明装置１０２と、照明装置１０２からの照明光束を被照明領域に導光するリレー光
学系７２０と、リレー光学系７２０からの光を画像情報に応じて変調する電気光学変調装
置としてのマイクロミラー型光変調装置４１０と、マイクロミラー型光変調装置４１０に
よって変調された光をスクリーンＳＣＲ等の投写面に投写する投写光学系６１０とを備え
たプロジェクタである。
【０１３８】
実施形態２に係る照明装置１０２は、第１の偏光光源装置４０と、第２の偏光光源装置
８０と、第１の偏光光源装置４０及び第２の偏光光源装置８０から射出される照明光束を
合成して射出する偏光ビームコンバイナ９０と、偏光ビームコンバイナ９０からの照明光
束をより均一な強度分布を有する光に変換する機能を有するインテグレータ光学系１２２
とを備えた照明装置である。
【０１３９】
第１の偏光光源装置４０、第２の偏光光源装置８０及び偏光ビームコンバイナ９０につ
いては、実施形態１で説明したものと同様であるため説明を省略する。
【０１４０】
インテグレータ光学系１２２は、偏光ビームコンバイナ９０からの照明光束を集束光に
変換して射出する集光レンズ１６２と、集光レンズ１６２からの照明光束をより均一な強
度分布を有する光に変換するインテグレータロッド１７０とを有している。
【０１４１】
集光レンズ１６２は、偏光ビームコンバイナ９０からの照明光束をインテグレータロッ
ド１７０の光入射面近傍に集光させる機能を有している。なお、図１４（ａ）及び図１４
（ｂ）に示す集光レンズ１６２は１枚のレンズで構成されているが、複数のレンズを組み
合わせた複合レンズで構成されていてもよい。
【０１４２】
インテグレータロッド１７０は、集光レンズ１６２からの光を内面で多重反射させるこ
とにより、集光レンズ１６２からの光をより均一な強度分布を有する光に変換する機能を
有する光学部材である。インテグレータロッド１７０としては、例えば、中実のガラスロ
ッドを好適に用いることができる。
【０１４３】
インテグレータロッド１７０の光射出面の形状は、マイクロミラー型光変調装置４１０
の画像形成領域の形状とほぼ相似形をなすように設定されている。ただし、システム光軸
ＯＣはマイクロミラー型光変調装置４１０の中心軸に対して傾斜して配置されているので
、マイクロミラー型光変調装置４１０に照射される光は、この傾斜に応じて歪んだ輪郭形
状を有することとなる。したがって、このような場合におけるインテグレータロッド１７
０の光射出面の形状としては、マイクロミラー型光変調装置４１０に照射される光の輪郭
の歪みを補正するような形状とすることがより好ましい。
【０１４４】
インテグレータロッド１７０の光射出側には、カラーホイール７１０が配置されている
。カラーホイール７１０は、図１４（ｃ）に示すように、回転方向に沿って区切られた４
つの扇形の領域に３つの透過型のカラーフィルタ７１２Ｒ，７１２Ｇ，７１２Ｂが形成さ
た円板状部材である。カラーホイール７１０の中心部分には、カラーホイール７１０を回
転させるためのモータ７１４が配置されている。
【０１４５】
カラーフィルタ７１２Ｒは、インテグレータロッド１７０からの照明光束のうち、赤の
波長領域の光を透過し、他の波長領域の光を反射又は吸収することにより、赤色光成分の
みを透過するものである。同様に、カラーフィルタ７１２Ｇ，７１２Ｂは、それぞれ、イ
ンテグレータロッド７１０からの照明光束のうち、緑又は青の波長領域の光を透過し、他
の波長領域の光を反射又は吸収することにより、緑色光成分又は青色光成分のみを透過す
るものである。カラーフィルタ７１２Ｒ，７１２Ｇ，７１２Ｂは、例えば、誘電体多層膜
や、塗料を用いて形成されたフィルタ板などを好適に用いることができる。４つの扇形の
領域において、カラーフィルタ７１２Ｒ，７１２Ｇ，７１２Ｂ以外の部分は、透光領域７
１２Ｗとなっており、インテグレータロッド１７０かの光がそのまま通過できるようにな
っている。この透光領域７１２Ｗにより、投写画像中の輝度を上げることができ、投写画
像の明るさを確保することができる。
【０１４６】
なお、カラーホイール７１０は省略することも可能であり、この場合における投写画像
はモノクロ画像である。
【０１４７】
インテグレータロッド１７０から射出された照明光束は、カラーホイール７１０を通過
することにより、上述のように赤色光、緑色光及び青色光の３つの色光成分を含む照明光
束になり、この照明光束は、リレー光学系７２０によって拡大されて、マイクロミラー型
光変調装置４１０の画像形成領域上に照射される。
【０１４８】
リレー光学系７２０は、リレーレンズ７２２と、反射ミラー７２４と、集光レンズ７２
６とを有し、照明装置１０２（カラーホイール７１０）からの照明光束をマイクロミラー
型光変調装置４１０の画像形成領域に導く機能を有している。
【０１４９】
リレーレンズ７２２は、集光レンズ７２６とともに、照明装置１０２からの照明光束を
発散させずにマイクロミラー型光変調装置４１０の画像形成領域近傍に結像させる機能を
有している。なお、図１４（ａ）及び図１４（ｂ）に示すリレーレンズ７２２は１枚のレ
ンズで構成されているが、複数のレンズを組み合わせた複合レンズで構成されていてもよ
い。
【０１５０】
反射ミラー７２４は、システム光軸ＯＣに対して傾斜して配置され、リレーレンズ７２
２からの照明光束を曲折し、マイクロミラー型光変調装置４１０へと導光する。これによ
り、プロジェクタをコンパクトにすることができる。
【０１５１】
集光レンズ７２６は、リレーレンズ７２２及び反射ミラー７２４からの照明光束をマイ
クロミラー型光変調装置４１０の画像形成領域にほぼ重畳させ、かつ、マイクロミラー型
光変調装置４１０によって変調された光を投写光学系６１０とともに拡大投写するもので
ある。
【０１５２】
マイクロミラー型光変調装置４１０は、リレー光学系７２０からの光を画像情報に応じ
て各画素に対応するマイクロミラーで反射することにより、画像を表す画像光を投写光学
系６１０へと射出する機能を有する反射方向制御型光変調装置である。マイクロミラー型
光変調装置４１０としては、例えば、ＤＭＤ（デジタルマイクロミラーデバイス）（ＴＩ
社の商標）を用いることができる。
【０１５３】
マイクロミラー型光変調装置４１０から射出される画像光は、投写光学系６１０によっ
て拡大投写され、スクリーンＳＣＲ上で大画面画像を形成する。
【０１５４】
マイクロミラー型光変調装置４１０と投写光学系６１０とは、それぞれの中心軸が一致
するように配置されている。なお、実施形態２に係るプロジェクタ１００２をあおり投写
の構成を有するプロジェクタとする場合には、マイクロミラー型光変調装置４１０の中心
軸に対して投写光学系６１０の投写光軸６１０ａｘがあおり方向にずれるように構成する
ことが好ましい。
【０１５５】
以上のように構成された実施形態２に係る照明装置１０２及びプロジェクタ１００２に
おいても、実施形態１に係る照明装置１００及びプロジェクタ１０００の場合と同様に、
Ｐ偏光成分に係る照明光束を射出する第１の偏光光源装置４０と、Ｓ偏光成分に係る照明
光束を射出する第２の偏光光源装置８０と、第１の偏光光源装置４０から射出されるＰ偏
光成分に係る照明光束と第２の偏光光源装置８０から射出されるＳ偏光成分に係る照明光
束とを合成して射出する偏光ビームコンバイナ９０とを備えている。
【０１５６】
このため、実施形態２に係る照明装置１０２によれば、実施形態１に係る照明装置１０
０の場合と同様に、第１の光源装置１０及び第２の光源装置５０のうちいずれの光源装置
において発光管の発光が弱まったり切れたりしても、被照明領域における面内光強度分布
が不均一になることを抑制することが可能となるとともに投写画像の品質が劣化すること
を抑制することが可能となる。
【０１５７】
また、実施形態２に係る照明装置１０２においては、インテグレータ光学系１２２は、
偏光ビームコンバイナ９０からの照明光束を集束光に変換して射出する集光レンズ１６２
と、集光レンズ１６２からの照明光束をより均一な強度分布を有する光に変換するインテ
グレータロッド１７０とを有するため、照明光束の面内光強度分布をより均一なものにす
ることが可能となる。
【０１５８】
実施形態２に係るプロジェクタ１００２は、上記した照明装置１０２を備えているため
、高輝度のプロジェクタであって、第１の光源装置１０及び第２の光源装置５０のうちい
ずれの光源装置において発光管の発光が弱まったり切れたりしても、投写画像の品質が劣
化することを抑制することが可能なプロジェクタとなる。
【０１５９】
［実施形態３］
図１５は、実施形態３に係る照明装置１０４及びプロジェクタ１００４を説明するため
に示す図である。図１５（ａ）はプロジェクタ１００４の光学系を示す平面図であり、図
１５（ｂ）はプロジェクタ１００４の光学系を示す側面図であり、図１５（ｃ）はインテ
グレータロッド１７０Ｂの光入射面をシステム光軸ＯＣに沿って見た図である。なお、図
１５（ａ）及び図１５（ｂ）において、図１及び図１４と同一の部材については同一の符
号を付し、詳細な説明は省略する。
【０１６０】
実施形態３に係る照明装置１０４は、基本的には実施形態１に係る照明装置１００とよ
く似た構成を有しているが、インテグレータ光学系の構成が実施形態１に係る照明装置１
００とは異なっている。
【０１６１】
すなわち、実施形態３に係る照明装置１０４においては、図１５（ａ）及び図１５（ｂ
）に示すように、インテグレータ光学系１２２Ｂは、偏光ビームコンバイナ９０からの照
明光束を集束光に変換して射出する集光レンズ１６２と、集光レンズ１６２からの照明光
束をより均一な強度分布を有する光に変換するインテグレータロッド１７０Ｂと、インテ
グレータロッド１７０Ｂの光入射面に配置され、中央部に光入射のための開口部を有する
反射層１８２と、インテグレータロッド１７０Ｂの光射出面に配置されるλ／４板１８４
と、λ／４板１８４の光射出側に配置される反射型偏光板１８６とを有している。
【０１６２】
インテグレータロッド１７０Ｂは、集光レンズ１６２からの光を内面で多重反射させる
ことにより、集光レンズ１６２からの光をより均一な強度分布を有する光に変換する機能
を有する光学部材である。インテグレータロッド１７０Ｂとしては、例えば、中実のガラ
スロッドを好適に用いることができる。
【０１６３】
インテグレータロッド１７０Ｂの光射出面の形状は、液晶装置４００Ｒ，４００Ｇ，４
００Ｂの画像形成領域の形状とほぼ相似形をなすように設定されている。
【０１６４】
なお、照明装置１０４の光路後段には、照明装置１０４からの照明光束を導光するリレ
ーレンズ７３０が配置されている。リレーレンズ７３０は、集光レンズ３００Ｒ，３００
Ｇ，３００Ｂとともに、照明装置１０４からの照明光束を発散させずに液晶装置４００Ｒ
，４００Ｇ，４００Ｂの画像形成領域近傍に結像させる機能を有している。なお、図１５
（ａ）及び図１５（ｂ）に示すリレーレンズ７３０は１枚のレンズで構成されているが、
複数のレンズを組み合わせた複合レンズで構成されていてもよい。
【０１６５】
このように、実施形態３に係る照明装置１０４は、実施形態１に係る照明装置１００と
は、インテグレータ光学系の構成が異なっているが、実施形態１に係る照明装置１００の
場合と同様に、第１の偏光光源装置４０及び第２の偏光光源装置８０から互いに異なる偏
光軸を有する直線偏光を射出させ、これらの直線偏光を偏光ビームコンバイナ９０におけ
る第１の光入射面９４及び第２の光入射面９６にそれぞれ入射させることにより、偏光ビ
ームコンバイナ９０からは、第１の光源装置１０及び第２の光源装置５０からの照明光束
が完全に重畳された形で射出されるようになる。このため、第１の光源装置１０及び第２
の光源装置５０のうちいずれの光源装置において発光管の発光が弱まったり切れたりして
も、被照明領域における面内光強度分布が不均一になることを抑制することが可能となる
とともに投写画像の品質が劣化することを抑制することが可能となる。
【０１６６】
また、実施形態３に係る照明装置１０４においては、図１５に示すように、インテグレ
ータ光学系１２２Ｂは、インテグレータロッド１７０Ｂの光入射面に配置され、中央部に
光入射のための開口部を有する反射層１８２と、インテグレータロッド１７０Ｂの光射出
面に配置されるλ／４板１８４と、λ／４板１８４の光射出側に配置される反射型偏光板
１８６とをさらに有している。
【０１６７】
これにより、インテグレータロッド１７０Ｂに入射した照明光束のうち一方の偏光成分
（例えばＳ偏光成分）に係る照明光束が反射型偏光板１８６を通過する場合には、他方の
偏光成分（例えばＰ偏光成分）に係る照明光束は反射型偏光板１８６で反射される。この
反射光はインテグレータロッド１７０Ｂの光入射面に配置された反射層１８２で反射され
、再度反射型偏光板１８６に到達する。このとき、この光はλ／４板１８４をすでに２回
通過しているため、偏光方向が９０度回転し、一方の偏光成分に係る照明光束として反射
型偏光板１８６を通過する。すなわち、インテグレータロッド１７０Ｂから射出される光
の偏光方向を略１種類の偏光方向に揃えることが可能となる。したがって、液晶装置のよ
うに偏光方向を制御する電気光学変調装置を用いたプロジェクタにおいて特に好適なもの
となる。
【０１６８】
実施形態３に係る照明装置１０４は、インテグレータ光学系の構成以外の点では、実施
形態１に係る照明装置１００と同様の構成を有するため、実施形態１に係る照明装置１０
０の場合と同様の効果を有する。
【０１６９】
実施形態３に係るプロジェクタ１００４は、上記した照明装置１０４を備えているため
、高輝度のプロジェクタであって、第１の光源装置１０及び第２の光源装置５０のうちい
ずれの光源装置において発光管の発光が弱まったり切れたりしても、投写画像の品質が劣
化することを抑制することが可能なプロジェクタとなる。
【０１７０】
［実施形態４］
図１６は、実施形態４に係る照明装置１０６及びプロジェクタ１００６を説明するため
に示す図である。図１６（ａ）はプロジェクタ１００６の光学系を示す平面図であり、図
１６（ｂ）はプロジェクタ１００６の光学系を示す側面図であり、図１６（ｃ）は偏光変
換素子１９０及びインテグレータロッド１７０Ｃの斜視図である。なお、図１６（ａ）及
び図１６（ｂ）において、図１及び図１５と同一の部材については同一の符号を付し、詳
細な説明は省略する。
【０１７１】
実施形態４に係る照明装置１０６は、基本的には実施形態３に係る照明装置１０４とよ
く似た構成を有しているが、インテグレータ光学系の構成が実施形態３に係る照明装置１
０４とは異なっている。
【０１７２】
実施形態４に係る照明装置１０６は、図１６に示すように、インテグレータ光学系１２
２Ｃは、偏光ビームコンバイナ９０からの照明光束を集束光に変換して射出する集光レン
ズ１６２と、集光レンズ１６２からの照明光束を略１種類の直線偏光成分を有する光束に
変換する偏光変換素子１９０と、偏光変換素子１９０からの照明光束をより均一な強度分
布を有する光に変換するインテグレータロッド１７０Ｃとを有している。
【０１７３】
偏光変換素子１９０は、偏光ビームコンバイナ９０からの照明光束に含まれる偏光成分
のうち一方の直線偏光成分（例えばＰ偏光成分）をそのまま透過し、他方の直線偏光成分
（例えばＳ偏光成分）をシステム光軸ＯＣに垂直な方向（ｘ軸方向）に反射する偏光分離
面１９２と、偏光分離面１９２で反射された他方の直線偏光成分をシステム光軸ＯＣに平
行な方向（ｚ軸方向）に反射する反射面１９４と、偏光分離面１９２を透過した一方の直
線偏光成分を他方の直線偏光成分に変換する位相差板としてのλ／２板１９６とを有して
いる。
なお、偏光変換素子１９０は、Ｐ偏光成分に係る照明光束を透過しＳ偏光成分に係る照
明光束を反射する偏光分離面１９２を、Ｓ偏光成分に係る照明光束を透過しＰ偏光成分に
係る照明光束を反射する他の偏光分離面に替えることも可能である。
【０１７４】
インテグレータロッド１７０Ｃは、偏光変換素子１９０からの光を内面で多重反射させ
ることにより、偏光変換素子１９０からの光をより均一な強度分布を有する光に変換する
機能を有する光学部材である。インテグレータロッド１７０Ｃとしては、例えば、中実の
ガラスロッドを好適に用いることができる。
【０１７５】
インテグレータロッド１７０Ｃの光射出面の形状は、液晶装置４００Ｒ，４００Ｇ，４
００Ｂの画像形成領域の形状とほぼ相似形をなすように設定されている。
【０１７６】
このように、実施形態４に係る照明装置１０６は、実施形態３に係る照明装置１０４と
は、インテグレータ光学系の構成が異なっているが、実施形態１及び３に係る照明装置１
００，１０４の場合と同様に、第１の偏光光源装置４０及び第２の偏光光源装置８０から
互いに異なる偏光軸を有する直線偏光を射出させ、これらの直線偏光を偏光ビームコンバ
イナ９０における第１の光入射面９４及び第２の光入射面９６にそれぞれ入射させること
により、偏光ビームコンバイナ９０からは、第１の光源装置１０及び第２の光源装置５０
からの照明光束が完全に重畳された形で射出されるようになる。このため、第１の光源装
置１０及び第２の光源装置５０のうちいずれの光源装置において発光管の発光が弱まった
り切れたりしても、被照明領域における面内光強度分布が不均一になることを抑制するこ
とが可能となるとともに投写画像の品質が劣化することを抑制することが可能となる。
【０１７７】
また、実施形態４に係る照明装置１０６においては、インテグレータ光学系１２２Ｃは
、インテグレータロッド１７０Ｃの光入射側に配置され、集光レンズ１６２からの照明光
束を略１種類の直線偏光成分を有する光束に変換する偏光変換素子１９０をさらに有する
。これにより、インテグレータロッド１７０Ｃに入射する光の偏光方向を略１種類の偏光
方向に揃えることが可能となるため、液晶装置のように偏光方向を制御する電気光学変調
装置を用いたプロジェクタにおいて特に好適なものとなる。
【０１７８】
また、実施形態４に係る照明装置１０６においては、図１６に示すように、インテグレ
ータロッド１７０Ｃと偏光変換素子１９０とは、インテグレータロッド１７０Ｃ及び偏光
変換素子１９０と同じ屈折率を有する接着剤によって接着されているため、偏光変換素子
１９０とインテグレータロッド１７０Ｃとの間における望ましくない多重反射が抑制され
、光利用効率が低下したり迷光レベルが上昇したりすることがなくなる。また、偏光変換
素子１９０とインテグレータロッド１７０Ｃとを容易に一体化することができる。また、
偏光変換素子１９０とインテグレータロッド１７０Ｃとの間において、装置組み立て後に
おける位置ずれの発生を未然に防止することができる。
【０１７９】
実施形態４に係る照明装置１０６は、インテグレータ光学系の構成以外の点では、実施
形態１及び３に係る照明装置１００，１０４と同様の構成を有するため、実施形態１及び
３に係る照明装置１００，１０４の場合と同様の効果を有する。
【０１８０】
実施形態４に係るプロジェクタ１００６は、上記した照明装置１０６を備えているため
、高輝度のプロジェクタであって、第１の光源装置１０及び第２の光源装置５０のうちい
ずれの光源装置において発光管の発光が弱まったり切れたりしても、投写画像の品質が劣
化することを抑制することが可能なプロジェクタとなる。
【０１８１】
以上、本発明の照明装置及びプロジェクタを上記の各実施形態に基づいて説明したが、
本発明は上記の各実施形態に限定されるものではなく、その要旨を逸脱しない範囲におい
て種々の態様において実施することが可能であり、例えば次のような変形も可能である。
【０１８２】
（１）上記実施形態１に係るプロジェクタ１０００においては、液晶装置として、画像形
成領域が「短辺：長辺＝３：４の長方形」の平面形状を有する液晶装置４００Ｒ，４００
Ｇ，４００Ｂを用いたが、本発明はこれに限定されるものではなく、画像形成領域が「短
辺：長辺＝９：１６の長方形」の平面形状を有するワイドビジョン用の液晶装置を用いる
こともできる。この場合、第１レンズアレイとしては、複数の第１小レンズがｚ軸に垂直
な面内に７行・４列のマトリクス状に配列された構成を有するものを用いることが好まし
い。
【０１８３】
（２）上記各実施形態の照明装置１００〜１０６においては、第１の光源装置及び第２の
光源装置として、楕円面リフレクタと、楕円面リフレクタの第１焦点近傍に発光中心を有
する発光管と、楕円面リフレクタで反射された集束光を偏光分離光学素子における光入射
面に向けて射出する凹レンズとを有する光源装置を用いたが、本発明はこれに限定される
ものではない。放物面リフレクタと、放物面リフレクタの焦点近傍に発光中心を有する発
光管とを有する光源装置をも好ましく用いることができる。
【０１８４】
（３）上記各実施形態の照明装置１００〜１０６においては、発光管に反射手段としての
補助ミラーが配設された照明装置を例示して説明しているが、本発明はこれに限定される
ものではなく、補助ミラーが配設されていない照明装置に本発明を適用することも可能で
ある。
【０１８５】
（４）上記各実施形態の照明装置１００〜１０６においては、偏光ビームコンバイナとし
て、２つの三角柱プリズムが貼り合わされたキューブタイプの偏光ビームコンバイナ９０
を用いたが、本発明はこれに限定されるものではなく、プレートタイプの偏光ビームコン
バイナをも好ましく用いることができる。また、上記各実施形態の照明装置１００〜１０
６においては、第１の偏光分離光学素子及び第２の偏光分離光学素子として、プリズムを
備えた偏光分離光学素子を用いたが、本発明はこれに限定されるものではなく、プレート
タイプの偏光分離光学素子をも好ましく用いることができる。なお、プレートタイプの偏
光ビームコンバイナ及びプレートタイプの偏光分離光学素子としては、透光性の基板に偏
光分離膜を設けた構成のものなどを適宜採用することができる。
【０１８６】
（５）上記各実施形態の照明装置１００〜１０６においては、第１の偏光光源装置４０が
Ｐ偏光成分に係る照明光束を射出し、第２の偏光光源装置８０がＳ偏光成分に係る照明光
束を射出し、偏光ビームコンバイナ９０がＰ偏光成分に係る照明光束を透過しＳ偏光成分
に係る照明光束を反射する偏光合成面９２を備える構成としたが、本発明はこれに限定さ
れるものではなく、第１の偏光光源装置がＳ偏光成分に係る照明光束を射出し、第２の偏
光光源装置がＰ偏光成分に係る照明光束を射出し、偏光ビームコンバイナがＳ偏光成分に
係る照明光束を透過しＰ偏光成分に係る照明光束を反射する偏光合成面を備える構成とす
ることも可能である。
【０１８７】
（６）上記各実施形態の照明装置１００〜１０６においては、第１のλ／２板３０及び第
２のλ／２板７０は、偏光ビームコンバイナ９０の第１の光入射面９４及び第２の光入射
面９６における所定位置に貼り付けられているが、本発明はこれに限定されるものではな
く、第１の偏光分離光学素子２０の光射出面及び第２の偏光分離光学素子６０の光射出面
における所定位置に貼り付けられていてもよい。
【０１８８】
（７）上記実施形態２〜４に係る照明装置１０２〜１０６においては、インテグレータロ
ッドとして、内面全反射タイプの中実のガラスロッドを用いているが、本発明はこれに限
定されるものではなく、例えば、４枚の反射ミラーにおける反射面を内側に向けて貼り合
わせた筒状のライトトンネルなどの中空のロッドを用いてもよい。
【０１８９】
（８）上記実施形態１に係るプロジェクタ１０００は透過型のプロジェクタであるが、本
発明はこれに限定されるものではない。反射型のプロジェクタにも適用することが可能で
ある。ここで、「透過型」とは、透過型の液晶装置等のように光変調手段としての電気光
学変調装置が光を透過するタイプであることを意味しており、「反射型」とは、反射型の
液晶装置のように光変調手段としての電気光学変調装置が光を反射するタイプであること
を意味している。反射型のプロジェクタにこの発明を適用した場合にも、透過型のプロジ
ェクタと同様の効果を得ることができる。 
【０１９０】
（９）上記実施形態１に係るプロジェクタ１０００においては、３つの液晶装置４００Ｒ
，４００Ｇ，４００Ｂを用いたプロジェクタを例示して説明したが、本発明はこれに限定
されるものではなく、１つ、２つ又は４つ以上の液晶装置を用いたプロジェクタにも適用
可能である。
【０１９１】
（１０）上記実施形態２に係るプロジェクタ１００２においては、１つのマイクロミラー
型光変調装置４１０を用いたプロジェクタを例示して説明したが、本発明はこれに限定さ
れるものではなく、複数のマイクロミラー型光変調装置を用いたプロジェクタにも適用可
能である。
【０１９２】
（１１）上記実施形態２に係るプロジェクタ１００２においては、インテグレータロッド
１７０の光射出側にカラーホイール７１０が配置されているが、本発明はこれに限定され
るものではなく、インテグレータロッドの光入射側にカラーホイールが配置されていても
よい。
【０１９３】
（１２）本発明は、投写画像を観察する側から投写するフロント投写型プロジェクタに適
用する場合にも、投写画像を観察する側とは反対の側から投写するリア投写型プロジェク
タに適用する場合にも可能である。
【図面の簡単な説明】
【０１９４】
【図１】実施形態１に係る照明装置１００及びプロジェクタ１０００を説明するために示す図。
【図２】実施形態１に係る照明装置１００の要部を説明するために示す図。
【図３】第１の光源装置１０及び第２の光源装置５０から射出される照明光束が偏光分離及び合成される様子を模式的に示す図。
【図４】第１レンズアレイ１３０，１３４の正面図。
【図５】インテグレータ光学系１２０における光線を示す図。
【図６】偏光変換素子１５０，１５５の光射出面における面内光強度分布を示す図。
【図７】第１の光源装置１０の第１の発光管１２の発光が切れたときの照明状態を説明するために示す図。
【図８】第２の光源装置５０の第２の発光管５２の発光が切れたときの照明状態を説明するために示す図。
【図９】実施形態１に係る照明装置１００及び比較例に係る照明装置９００を説明するために示す図。
【図１０】実施形態１の変形例１に係る照明装置１００ａの要部を示す平面図。
【図１１】実施形態１の変形例２に係る照明装置１００ｂの要部を示す平面図。
【図１２】実施形態１の変形例３に係る照明装置１００ｃの要部を示す平面図。
【図１３】実施形態１の変形例４に係る照明装置１００ｄの要部を示す平面図。
【図１４】実施形態２に係る照明装置１０２及びプロジェクタ１００２を説明するために示す図。
【図１５】実施形態３に係る照明装置１０４及びプロジェクタ１００４を説明するために示す図。
【図１６】実施形態４に係る照明装置１０６及びプロジェクタ１００６を説明するために示す図。
【符号の説明】
【０１９５】
１０，５０…光源装置、１０ａｘ，５０ａｘ…光源装置の光軸、１２，５２…発光管、１
４，５４…楕円面リフレクタ、１６，５６…補助ミラー、１８，５８…凹レンズ、２０，
２０ｃ，６０，６０ｃ，９２０…偏光分離光学素子、２２，２２ｃ，６２，６２ｃ，１５
１，１５６，１９２，９２２…偏光分離面、２４，２４ｃ，６４，６４ｃ，１５２，１５
７，１９４，９２４…反射面、３０，３０ｃ，３２，７０，７０ｃ，１５３，１５８，１
９６…λ／２板、４０，８０…偏光光源装置、９０…偏光ビームコンバイナ、９２…偏光
合成面、９４…（偏光ビームコンバイナの）第１の光入射面、９６…（偏光ビームコンバ
イナの）第２の光入射面、１００，１００ａ，１００ｂ，１００ｃ，１００ｄ，１０２，
１０４，１０６，９００…照明装置、１２０，１２２，１２２Ｂ，１２２Ｃ…インテグレ
ータ光学系、１３０，１３４…第１レンズアレイ、１３２，１３６…第１小レンズ、１４
０，１４４…第２レンズアレイ、１４２，１４６…第２小レンズ、１５０，１５５，１９
０…偏光変換素子、１６０…重畳レンズ、１６２，３００Ｒ，３００Ｇ，３００Ｂ，７２
６…集光レンズ、１７０，１７０Ｂ，１７０Ｃ…インテグレータロッド、１８２…反射層
、１８４…λ／４板、１８６…反射側偏光板、２００…色分離導光光学系、２１０，２２
０…ダイクロイックミラー、２３０，２４０，２５０，７２４…反射ミラー、２６０…入
射側レンズ、２７０，７２２，７３０…リレーレンズ、４００Ｒ，４００Ｇ，４００Ｂ…
液晶装置、４１０…マイクロミラー型光変調装置、５００…クロスダイクロイックプリズ
ム、６００，６１０…投写光学系、６１０ａｘ…投写光軸、７１０…カラーホイール、７
１２Ｒ，７１２Ｇ，７１２Ｂ…カラーフィルタ、７１２Ｗ…透光領域、７１４…モータ、
７２０…リレー光学系、１０００，１００２，１００４，１００６…プロジェクタ、Ｃ…
接着層、ＯＣ…システム光軸、ＳＣＲ…スクリーン
【図１】
2007256422.tif 000003
【図２】
2007256422.tif 000004
【図３】
2007256422.tif 000005
【図７】
2007256422.tif 000006
【図８】
2007256422.tif 000007
【図９】
2007256422.tif 000008
【図１０】
2007256422.tif 000009
【図１１】
2007256422.tif 000010
【図１２】
2007256422.tif 000011
【図１３】
2007256422.tif 000012
【図１５】
2007256422.tif 000013
【図４】
2007256422.tif 000014
【図５】
2007256422.tif 000015
【図６】
2007256422.tif 000016
【図１４】
2007256422.tif 000017
【図１６】
2007256422.tif 000018